(57)【要約】【課題】白表示部を含む表示領域の部分の輝度レベルを、他の表示領域の部分の輝度レベルよりも上げることを可能とするカラー液晶表示装置組立体の駆動方法を提供する。【解決手段】液晶表示装置組立体の駆動方法にあっては、各表示領域ユニットにおいて、この表示領域ユニット１２を構成する複数の画素のいずれかに対する入力信号の値ｘが所定の値以上である場合、係る入力信号の値をｘU-maxとしたとき、値ｘU-maxよりも大きな値を有する入力信号に相当する制御信号が画素に供給されたと想定したときの画素の輝度が得られるように、この表示領域ユニットに対応する面状光源ユニットの輝度を駆動回路によって制御する。【選択図】  図１
2007179001.tif 000002
【特許請求の範囲】
【請求項１】
（Ａ）２次元マトリクス状に配列された画素から構成された表示領域を備えた透過型の液晶表示装置、
（Ｂ）液晶表示装置の表示領域をＰ×Ｑ個の仮想の表示領域ユニットに分割したと想定したときの該Ｐ×Ｑ個の表示領域ユニットに対応したＰ×Ｑ個の面状光源ユニットから成り、面状光源ユニットに対応する表示領域ユニットを背面から照明する面状光源装置、並びに、
（Ｃ）面状光源装置及び液晶表示装置を駆動するための駆動回路、
を備え、
駆動回路から、画素のそれぞれに、画素の光透過率を制御する制御信号を供給する液晶表示装置組立体の駆動方法であって、
画素を駆動するために駆動回路に入力される入力信号の値をｘとしたとき、
各表示領域ユニットにおいて、該表示領域ユニットを構成する複数の画素のいずれかに対する入力信号の値ｘが所定の値以上である場合、係る入力信号の値をｘU-maxとしたとき、値ｘU-maxよりも大きな値を有する入力信号に相当する制御信号が画素に供給されたと想定したときの画素の輝度が得られるように、該表示領域ユニットに対応する面状光源ユニットの輝度を駆動回路によって制御することを特徴とする液晶表示装置組立体の駆動方法。
【請求項２】
画素を駆動するために駆動回路に入力され得る入力信号最大値をｘmax、前記所定の値をｋ1・ｘmax［但し、ｋ1は、０．９４≦ｋ1≦０．９９の範囲内の係数］としたとき、
各表示領域ユニットにおいて、該表示領域ユニットを構成する複数の画素のいずれかに対する入力信号の値ｘが、所定の値ｋ1・ｘmax以上である場合、係る入力信号の値をｘU-maxとしたとき、
ｘU-max＋ｋ0・ｘmax
［但し、ｋ0は、０．０６≦ｋ0≦０．３の範囲内の係数］
に等しい値を有する入力信号に相当する制御信号が画素に供給されたと想定したときの画素の輝度が得られるように、該表示領域ユニットに対応する面状光源ユニットの輝度を駆動回路によって制御することを特徴とする請求項１に記載の液晶表示装置組立体の駆動方法。
【請求項３】
１画素は、赤色発光副画素、緑色発光副画素、及び、青色発光副画素の３種の副画素を１組として構成され、
１画素において、赤色発光副画素を駆動するために駆動回路に入力される赤色発光副画素・入力信号の値をｘR、緑色発光副画素を駆動するために駆動回路に入力される緑色発光副画素・入力信号の値をｘG、青色発光副画素を駆動するために駆動回路に入力される青色発光副画素・入力信号の値をｘBとし、
画素を駆動するために駆動回路に入力され得る入力信号最大値をｘmax、前記所定の値をｋ1・ｘmax［但し、ｋ1は、０．９４≦ｋ1≦０．９９の範囲内の係数］としたとき、
各表示領域ユニットにおいて、該表示領域ユニットを構成する複数の画素のいずれかに対する入力信号の値ｘR，ｘG，ｘBの全てが、所定の値ｋ1・ｘmax以上である場合、係るそれぞれの入力信号の値をｘU-max(R)，ｘU-max(G)，ｘU-max(B)としたとき、
（ｘU-max(R)＋ｘU-max(G)＋ｘU-max(B)）／３＋ｋ0・ｘmax
［但し、ｋ0は、０．０６≦ｋ0≦０．３の範囲内の係数］
に等しい値を有する入力信号に相当する制御信号が赤色発光副画素、緑色発光副画素及び青色発光副画素に供給されたと想定したときの赤色発光副画素、緑色発光副画素及び青色発光副画素の輝度が得られるように、該表示領域ユニットに対応する面状光源ユニットの輝度を駆動回路によって制御することを特徴とする請求項１に記載の液晶表示装置組立体の駆動方法。
【請求項４】
面状光源ユニットは、発光ダイオードから成ることを特徴とする請求項１に記載の液晶表示装置組立体の駆動方法。
【請求項５】
面状光源ユニットの輝度の増減を、面状光源ユニットを構成する発光ダイオードのパルス幅変調制御におけるデューティ比の増減制御によって行うことを特徴とする請求項４に記載の液晶表示装置組立体の駆動方法。
【請求項６】
画素を駆動するために駆動回路に入力され得る入力信号最大値をｘmaxとしたとき、
（１＋ｋ0）ｘmax［但し、ｋ0は、０．０６≦ｋ0≦０．３の範囲内の係数］に等しい値を有する入力信号に相当する制御信号が画素に供給されたと想定したときの画素の輝度が得られるようなデューティ比Ｄ0は、最大デューティ比をＤmaxとしたとき、
Ｄ0＝α0・Ｄmax
［但し、α0は、０．９５≦α0≦１．０の範囲内の係数］
であることを特徴とする請求項５に記載の液晶表示装置組立体の駆動方法。
【請求項７】
（Ａ）２次元マトリクス状に配列された画素から構成された表示領域を備えた透過型の液晶表示装置、
（Ｂ）液晶表示装置の表示領域をＰ×Ｑ個の仮想の表示領域ユニットに分割したと想定したときの該Ｐ×Ｑ個の表示領域ユニットに対応したＰ×Ｑ個の面状光源ユニットから成り、面状光源ユニットに対応する表示領域ユニットを背面から照明する面状光源装置、並びに、
（Ｃ）面状光源装置及び液晶表示装置を駆動するための駆動回路、
を備え、
駆動回路から、画素のそれぞれに、画素の光透過率を制御する制御信号を供給する液晶表示装置組立体の駆動方法であって、
画素を駆動するために駆動回路に入力される入力信号の値をｘとしたとき、
［ａ］各表示領域ユニットにおいて、該表示領域ユニットを構成する複数の画素のいずれかに対する入力信号の値ｘが所定の値以上である場合、係る入力信号の値をｘU-maxとしたとき、値ｘU-maxよりも大きな値を有する入力信号に相当する制御信号が画素に供給されたと想定したときの画素の輝度が得られるように、該表示領域ユニットに対応する面状光源ユニットの輝度を駆動回路によって制御し、
［ｂ］各表示領域ユニットにおいて、該表示領域ユニットを構成する複数の画素の全てに対する入力信号の値ｘが前記所定の値未満である場合、該表示領域ユニットを構成する全ての画素を駆動するために駆動回路に入力される入力信号の内の最大値をｘ’U-maxとしたとき、係るｘ’U-maxに等しい値を有する入力信号に相当する制御信号が画素に供給されたと想定したときの画素の輝度が得られるように、該表示領域ユニットに対応する面状光源ユニットの輝度を駆動回路によって制御することを特徴とする液晶表示装置組立体の駆動方法。
【請求項８】
画素を駆動するために駆動回路に入力され得る入力信号最大値をｘmax、前記所定の値をｋ1・ｘmax［但し、ｋ1は、０．９４≦ｋ1≦０．９９の範囲内の係数］としたとき、
［ａ］各表示領域ユニットにおいて、該表示領域ユニットを構成する複数の画素のいずれかに対する入力信号の値ｘが、所定の値ｋ1・ｘmax以上である場合、係る入力信号の値をｘU-maxとしたとき、
ｘU-max＋ｋ0・ｘmax
［但し、ｋ0は、０．０６≦ｋ0≦０．３の範囲内の係数］
に等しい値を有する入力信号に相当する制御信号が画素に供給されたと想定したときの画素の輝度が得られるように、該表示領域ユニットに対応する面状光源ユニットの輝度を駆動回路によって制御し、
［ｂ］各表示領域ユニットにおいて、該表示領域ユニットを構成する複数の画素の全てに対する入力信号の値ｘが、前記所定の値ｋ1・ｘmax未満である場合、該表示領域ユニットを構成する全ての画素を駆動するために駆動回路に入力される入力信号の内の最大値をｘ’U-maxとしたとき、係るｘ’U-maxに等しい値を有する入力信号に相当する制御信号が画素に供給されたと想定したときの画素の輝度が得られるように、該表示領域ユニットに対応する面状光源ユニットの輝度を駆動回路によって制御することを特徴とする請求項７に記載の液晶表示装置組立体の駆動方法。
【請求項９】
１画素は、赤色発光副画素、緑色発光副画素、及び、青色発光副画素の３種の副画素を１組として構成され、
１画素において、赤色発光副画素を駆動するために駆動回路に入力される赤色発光副画素・入力信号の値をｘR、緑色発光副画素を駆動するために駆動回路に入力される緑色発光副画素・入力信号の値をｘG、青色発光副画素を駆動するために駆動回路に入力される青色発光副画素・入力信号の値をｘBとし、
画素を駆動するために駆動回路に入力され得る入力信号最大値をｘmax、前記所定の値をｋ1・ｘmax［但し、ｋ1は、０．９４≦ｋ1≦０．９９の範囲内の係数］としたとき、
［ａ］各表示領域ユニットにおいて、該表示領域ユニットを構成する複数の画素のいずれかに対する入力信号の値ｘR，ｘG，ｘBの全てが、所定の値ｋ1・ｘmax以上である場合、係るそれぞれの入力信号の値をｘU-max(R)，ｘU-max(G)，ｘU-max(B)としたとき、
（ｘU-max(R)＋ｘU-max(G)＋ｘU-max(B)）／３＋ｋ0・ｘmax
［但し、ｋ0は、０．０６≦ｋ0≦０．３の範囲内の係数］
に等しい値を有する入力信号に相当する制御信号が赤色発光副画素、緑色発光副画素及び青色発光副画素に供給されたと想定したときの赤色発光副画素、緑色発光副画素及び青色発光副画素の輝度が得られるように、該表示領域ユニットに対応する面状光源ユニットの輝度を駆動回路によって制御し、
［ｂ］各表示領域ユニットにおいて、該表示領域ユニットを構成する複数の画素の全てに対する入力信号の値ｘR，ｘG，ｘBのいずれかが、前記所定の値ｋ1・ｘmax未満である場合、該表示領域ユニットを構成する全ての画素を駆動するために駆動回路に入力される赤色発光副画素・入力信号、緑色発光副画素・入力信号、青色発光副画素・入力信号の内の最大値をｘ’U-maxとしたとき、係るｘ’U-maxに等しい値を有する入力信号に相当する制御信号が赤色発光副画素、緑色発光副画素及び青色発光副画素に供給されたと想定したときの赤色発光副画素、緑色発光副画素及び青色発光副画素の輝度が得られるように、該表示領域ユニットに対応する面状光源ユニットの輝度を駆動回路によって制御することを特徴とする請求項７に記載の液晶表示装置組立体の駆動方法。
【請求項１０】
面状光源ユニットは、発光ダイオードから成ることを特徴とする請求項７に記載の液晶表示装置組立体の駆動方法。
【請求項１１】
面状光源ユニットの輝度の増減を、面状光源ユニットを構成する発光ダイオードのパルス幅変調制御におけるデューティ比の増減制御によって行うことを特徴とする請求項１０に記載の液晶表示装置組立体の駆動方法。
【請求項１２】
画素を駆動するために駆動回路に入力され得る入力信号最大値をｘmaxとしたとき、
（１＋ｋ0）ｘmax［但し、ｋ0は、０．０６≦ｋ0≦０．３の範囲内の係数］に等しい値を有する入力信号に相当する制御信号が画素に供給されたと想定したときの画素の輝度が得られるようなデューティ比Ｄ0は、最大デューティ比をＤmaxとしたとき、
Ｄ0＝α0・Ｄmax
［但し、α0は、０．９５≦α0≦１．０の範囲内の係数］
であることを特徴とする請求項１１に記載の液晶表示装置組立体の駆動方法。
【請求項１３】
画素を駆動するために駆動回路に入力され得る入力信号最大値をｘmaxとしたとき、
ｋ1・ｘmax［但し、ｋ1は、０．９４≦ｋ1≦０．９９の範囲内の係数］に等しい値を有する入力信号に相当する制御信号が画素に供給されたと想定したときの画素の輝度が得られるようなデューティ比Ｄ1は、最大デューティ比をＤmaxとしたとき、
Ｄ1＝α1・Ｄmax
［但し、α1は、０．３≦α1≦０．８の範囲内の係数］
を満足することを特徴とする請求項１１に記載の液晶表示装置組立体の駆動方法。
【請求項１４】
画素を駆動するために駆動回路に入力され得る入力信号最大値をｘmaxとしたとき、
前記の値ｘ’U-maxが、
ｘ’U-max≦ｋ2・ｘmax
［但し、ｋ2は、０．３５≦ｋ2≦０．５の範囲内の係数］
である場合、ｘ’U-max／ｋ2に等しい値を有する入力信号に相当する制御信号が画素に供給されたと想定したときの画素の輝度が得られるように、該表示領域ユニットに対応する面状光源ユニットの輝度を駆動回路によって制御することを特徴とする請求項７に記載の液晶表示装置組立体の駆動方法。
【請求項１５】
面状光源ユニットは、発光ダイオードから成ることを特徴とする請求項１４に記載の液晶表示装置組立体の駆動方法。
【請求項１６】
面状光源ユニットの輝度の増減を、面状光源ユニットを構成する発光ダイオードのパルス幅変調制御におけるデューティ比の増減制御によって行うことを特徴とする請求項１５に記載の液晶表示装置組立体の駆動方法。
【請求項１７】
（１＋ｋ0）ｘmax［但し、ｋ0は、０．０６≦ｋ0≦０．３の範囲内の係数］に等しい値を有する入力信号に相当する制御信号が画素に供給されたと想定したときの画素の輝度が得られるようなデューティ比Ｄ0は、最大デューティ比をＤmaxとしたとき、
Ｄ0＝α0・Ｄmax
［但し、α0は、０．９５≦α0≦１．０の範囲内の係数］
であることを特徴とする請求項１６に記載の液晶表示装置組立体の駆動方法。
【請求項１８】
ｋ1・ｘmax［但し、ｋ1は、０．９４≦ｋ1≦０．９９の範囲内の係数］に等しい値を有する入力信号に相当する制御信号が画素に供給されたと想定したときの画素の輝度が得られるようなデューティ比Ｄ1は、最大デューティ比をＤmaxとしたとき、
Ｄ1＝α1・Ｄmax
［但し、α1は、０．３≦α1≦０．８の範囲内の係数］
を満足することを特徴とする請求項１６に記載の液晶表示装置組立体の駆動方法。
【請求項１９】
ｋ2・ｘmaxに等しい値を有する入力信号に相当する制御信号が画素に供給されたと想定したときの画素の輝度が得られるようなデューティ比Ｄ2は、最大デューティ比をＤmaxとしたとき、
Ｄ2＝α2・Ｄmax
［但し、α2は、０．０１≦α2≦０．２の範囲内の係数］
を満足することを特徴とする請求項１６に記載の液晶表示装置組立体の駆動方法。
【発明の詳細な説明】
【技術分野】
【０００１】
本発明は、液晶表示装置と面状光源装置とを備えた液晶表示装置組立体の駆動方法に関する。
【背景技術】
【０００２】
液晶表示装置にあっては、液晶材料それ自体は発光しない。従って、例えば、直下型の面状光源装置（バックライト）を液晶表示装置の背面に配置する。尚、カラー液晶表示装置にあっては、１画素は、例えば、赤色発光副画素、緑色発光副画素、及び、青色発光副画素の３種の副画素から構成されている。そして、各画素あるいは各副画素を構成する液晶セルを、一種の光シャッター（ライト・バルブ）として動作させることによって、即ち、各画素あるいは各副画素の光透過率（開口率）を制御し、面状光源装置から出射された照明光（例えば、白色光）の透過する量（率）を制御することで、画像を表示している。液晶表示装置の大型化に従い、面状光源装置も大型化しつつある。
【０００３】
従来、面状光源装置は、液晶表示装置における表示領域全体を、均一、且つ、一定の明るさで照明しているが、このような面状光源装置とは別の構成、即ち、液晶表示装置における表示領域を構成する複数の表示領域ユニットに対応した複数の面状光源ユニットから構成され、面状光源ユニットにおける発光状態の制御によって表示領域ユニットにおける照度の分布を変化させる構成を有する面状光源装置が、例えば、特開２００４−２１２５０３や特開２００４−２４６１１７から周知である。
【０００４】
このような面状光源装置は、基本的には、以下に説明する方法に基づき制御される。尚、外部から駆動回路に入力される入力信号に基づき、画素の光透過率を制御する制御信号が駆動回路から各画素に供給される。即ち、面状光源装置を構成するそれぞれの面状光源ユニットの最高輝度をＹmaxとし、表示領域ユニットにおける画素の光透過率（開口率）の最大値（具体的には、例えば１００％）をＬｔmaxとする。また、面状光源装置を構成するそれぞれの面状光源ユニットが最高輝度Ｙmaxであるときに、表示領域ユニットにおける各画素に対応する表示領域の部分の輝度（以下、表示輝度ｙと呼ぶ場合がある）を得るための各画素の光透過率（開口率）をＬｔとする。ここで、光源輝度Ｙ、光透過率（開口率）Ｌｔにおいて表示輝度ｙが得られることを、本明細書においては、演算子「＊＊」を用いて、以下の式（Ａ）のように表す。
ｙ＝Ｙ＊＊Ｌｔ    （Ａ）
【０００５】
すると、この場合にあっては、面状光源装置を構成するそれぞれの面状光源ユニットの光源輝度Ｙを、
Ｙ＊＊Ｌｔmax＝Ｙmax＊＊Ｌｔ
を満足するように制御すればよい。尚、このような制御の概念図を図２８の（Ａ）及び（Ｂ）に示す。ここで、面状光源ユニットの光源輝度Ｙを、液晶表示装置の画像表示におけるフレーム（便宜上、画像表示フレームと呼ぶ）毎に変化させる。
【０００６】
【特許文献１】特開２００４−２１２５０３
【特許文献２】特開２００４−２４６１１７
【発明の開示】
【発明が解決しようとする課題】
【０００７】
カラー液晶表示装置におけるコントラスト比（カラー液晶表示装置の画面表面における、外光反射等を含まない、全黒表示部と全白表示部の輝度比）は、各画素の光透過率を最大にした場合の光透過率と、最低にした場合の光透過率との比である。そして、現状のカラー液晶表示装置にあっては、１０００対１程度のコントラスト比が達成できれば優秀なカラー液晶表示装置であると云われている。ところで、コントラスト比を更に向上させるためには、全白表示部の輝度レベルを上げる必要があり、そのためには、図２９に模式的に示すように、面状光源装置の輝度を増加させる方法が考えられる。然るに、このような方法では、全黒表示部も明るくなり、所謂、「黒が浮く」といった現象が生じてしまい、他の形式の表示装置と比べて、表示画面の自然さの点で劣る。また、陰極線管（ＣＲＴ）にあっては、自動輝度制限（ＡＢＬ）制御を行い、白表示部のみ、輝度レベルを上げることで、陰極線管独特の白の輝きを達成している。具体的には、白表示部の輝度を例えば５００ｃｄ／ｍ2とし、他の部分の輝度を３００ｃｄ／ｍ2としている。しかしながら、カラー液晶表示装置にあっては、白表示部を含む表示領域の部分の輝度レベルを他の表示領域の部分の輝度レベルよりも上げる具体的な方法は、本発明者が調べた限りでは知られていないし、上記の２件の特許公開公報にも、カラー液晶表示装置において、コントラスト比を更に向上させるための具体的な方法や、白表示部を含む表示領域の部分の輝度レベルを上げる具体的な方法については、記載も示唆も認められない。
【０００８】
従って、本発明の第１の目的は、或る表示領域の部分の輝度レベルを、他の表示領域の部分の輝度レベルよりも上げることを可能とする液晶表示装置組立体の駆動方法を提供することにある。また、本発明の第２の目的は、第１の目的に加え、コントラスト比を一層向上させることを可能とする液晶表示装置組立体の駆動方法を提供することにある。
【課題を解決するための手段】
【０００９】
本発明の第１の態様あるいは第２の態様に係る液晶表示装置組立体の駆動方法は、
（Ａ）２次元マトリクス状に配列された画素から構成された表示領域を備えた透過型の液晶表示装置、
（Ｂ）液晶表示装置の表示領域をＰ×Ｑ個の仮想の表示領域ユニットに分割したと想定したときのこれらのＰ×Ｑ個の表示領域ユニットに対応したＰ×Ｑ個の面状光源ユニットから成り、面状光源ユニットに対応する表示領域ユニットを背面から照明する面状光源装置、並びに、
（Ｃ）面状光源装置及び液晶表示装置を駆動するための駆動回路、
を備え、
駆動回路から、画素のそれぞれに、画素の光透過率を制御する制御信号を供給する液晶表示装置組立体の駆動方法である。ここで、画素を駆動するために駆動回路に入力される入力信号の値をｘとし、画素を駆動するために駆動回路に入力され得る入力信号最大値をｘmaxとする。
【００１０】
また、以下に説明する各種係数の値の範囲を、以下のとおりとする。
ｋ0：０．０６≦ｋ0≦０．３の範囲内の係数
ｋ1：０．９４≦ｋ1≦０．９９の範囲内の係数
ｋ2：０．３５≦ｋ2≦０．５の範囲内の係数
α0：０．９５≦α0≦１．０の範囲内の係数
α1：０．３≦α1≦０．８の範囲内の係数
α2：０．０１≦α2≦０．２の範囲内の係数
【００１１】
そして、上記の第１の目的を達成するための本発明の第１の態様に係る液晶表示装置組立体の駆動方法は、各表示領域ユニットにおいて、この表示領域ユニットを構成する複数の画素のいずれかに対する入力信号の値ｘが所定の値以上である場合、係る入力信号の値をｘU-maxとしたとき、値ｘU-maxよりも大きな値を有する入力信号に相当する制御信号が画素に供給されたと想定したときの画素の輝度が得られるように、この表示領域ユニットに対応する面状光源ユニットの輝度を駆動回路によって制御することを特徴とする。このとき、必要に応じて、この表示領域ユニットを構成する各画素の光透過率を併せて制御する。
【００１２】
本発明の第１の態様に係る液晶表示装置組立体の駆動方法においては、各表示領域ユニットにおいて、この表示領域ユニットを構成する複数の画素のいずれかに対する入力信号の値ｘが、前記所定の値ｋ1・ｘmax以上である場合、即ち、
ｘ ≧ｋ1・ｘmax        （１）
である場合、係る入力信号の値をｘU-maxとしたとき、
ｘU-max＋ｋ0・ｘmax    （２）
に等しい値を有する入力信号に相当する制御信号が画素に供給されたと想定したときの画素の輝度が得られるように、この表示領域ユニットに対応する面状光源ユニットの輝度を駆動回路によって制御する構成とすることができる。このとき、必要に応じて、この表示領域ユニットを構成する各画素の光透過率を併せて制御する。
【００１３】
あるいは又、本発明の第１の態様に係る液晶表示装置組立体の駆動方法においては、
１画素は、赤色発光副画素、緑色発光副画素、及び、青色発光副画素の３種の副画素を１組として構成され、
１画素において、赤色発光副画素を駆動するために駆動回路に入力される赤色発光副画素・入力信号の値をｘR、緑色発光副画素を駆動するために駆動回路に入力される緑色発光副画素・入力信号の値をｘG、青色発光副画素を駆動するために駆動回路に入力される青色発光副画素・入力信号の値をｘBとしたとき、
各表示領域ユニットにおいて、この表示領域ユニットを構成する複数の画素のいずれかに対する入力信号の値ｘR，ｘG，ｘBの全てが、前記所定の値ｋ1・ｘmax以上である場合、即ち、
ｘR≧ｋ1・ｘmax    （１−１）
ｘG≧ｋ1・ｘmax    （１−２）
ｘB≧ｋ1・ｘmax    （１−３）
である場合、係るそれぞれの入力信号の値をｘU-max(R)，ｘU-max(G)，ｘU-max(B)としたとき、
（ｘU-max(R)＋ｘU-max(G)＋ｘU-max(B)）／３＋ｋ0・ｘmax    （２’）
に等しい値を有する入力信号に相当する制御信号が赤色発光副画素、緑色発光副画素及び青色発光副画素に供給されたと想定したときの赤色発光副画素、緑色発光副画素及び青色発光副画素の輝度が得られるように、この表示領域ユニットに対応する面状光源ユニットの輝度を駆動回路によって制御する構成とすることができる。このとき、必要に応じて、この表示領域ユニットを構成する各画素の光透過率を併せて制御する。
【００１４】
一方、上記の第２の目的を達成するための本発明の第２の態様に係る液晶表示装置組立体の駆動方法は、
［ａ］各表示領域ユニットにおいて、この表示領域ユニットを構成する複数の画素のいずれかに対する入力信号の値ｘが所定の値以上である場合、係る入力信号の値をｘU-maxとしたとき、値ｘU-maxよりも大きな値を有する入力信号に相当する制御信号が画素に供給されたと想定したときの画素の輝度が得られるように、この表示領域ユニットに対応する面状光源ユニットの輝度を駆動回路によって制御する。尚、ここまでの構成要件は、本発明の第１の態様に係る液晶表示装置組立体の駆動方法と同じである。このとき、必要に応じて、この表示領域ユニットを構成する各画素の光透過率を併せて制御する。
【００１５】
そして、本発明の第２の態様に係る液晶表示装置組立体の駆動方法にあっては、更に、
［ｂ］各表示領域ユニットにおいて、この表示領域ユニットを構成する複数の画素の全てに対する入力信号の値ｘが前記所定の値未満である場合、この表示領域ユニットを構成する全ての画素を駆動するために駆動回路に入力される入力信号の内の最大値をｘ’U-maxとしたとき、係るｘ’U-maxに等しい値を有する入力信号に相当する制御信号が画素に供給されたと想定したときの画素の輝度が得られるように、この表示領域ユニットに対応する面状光源ユニットの輝度を駆動回路によって制御することを特徴とする。このとき、必要に応じて、この表示領域ユニットを構成する各画素の光透過率を併せて制御する。尚、このような構成にすると、γ（ガンマ）特性が所望の特性から若干逸脱し、画質が若干変化するが、実質的には問題は生じない。
【００１６】
本発明の第２の態様に係る液晶表示装置組立体の駆動方法においては、
［ａ］各表示領域ユニットにおいて、この表示領域ユニットを構成する複数の画素のいずれかに対する入力信号の値ｘが、前記所定の値ｋ1・ｘmax以上である場合、即ち、
ｘ ≧ｋ1・ｘmax        （１）
である場合、係る入力信号の値をｘU-maxとしたとき、
ｘU-max＋ｋ0・ｘmax    （２）
に等しい値を有する入力信号に相当する制御信号が画素に供給されたと想定したときの画素の輝度が得られるように、この表示領域ユニットに対応する面状光源ユニットの輝度を駆動回路によって制御し、
［ｂ］各表示領域ユニットにおいて、この表示領域ユニットを構成する複数の画素の全てに対する入力信号の値ｘが、前記所定の値ｋ1・ｘmax未満である場合、この表示領域ユニットを構成する全ての画素を駆動するために駆動回路に入力される入力信号の内の最大値をｘ’U-maxとしたとき、係るｘ’U-maxに等しい値を有する入力信号に相当する制御信号が画素に供給されたと想定したときの画素の輝度が得られるように、この表示領域ユニットに対応する面状光源ユニットの輝度を駆動回路によって制御する構成とすることができる。このとき、必要に応じて、この表示領域ユニットを構成する各画素の光透過率を併せて制御する。
【００１７】
あるいは又、本発明の第２の態様に係る液晶表示装置組立体の駆動方法においては、
１画素は、赤色発光副画素、緑色発光副画素、及び、青色発光副画素の３種の副画素を１組として構成され、
１画素において、赤色発光副画素を駆動するために駆動回路に入力される赤色発光副画素・入力信号の値をｘR、緑色発光副画素を駆動するために駆動回路に入力される緑色発光副画素・入力信号の値をｘG、青色発光副画素を駆動するために駆動回路に入力される青色発光副画素・入力信号の値をｘBとしたとき、
［ａ］各表示領域ユニットにおいて、この表示領域ユニットを構成する複数の画素のいずれかに対する入力信号の値ｘR，ｘG，ｘBの全てが、前記所定の値ｋ1・ｘmax以上である場合、即ち、
ｘR≧ｋ1・ｘmax    （１−１）
ｘG≧ｋ1・ｘmax    （１−２）
ｘB≧ｋ1・ｘmax    （１−３）
である場合、係るそれぞれの入力信号の値をｘU-max(R)，ｘU-max(G)，ｘU-max(B)としたとき、
（ｘU-max(R)＋ｘU-max(G)＋ｘU-max(B)）／３＋ｋ0・ｘmax    （２’）
に等しい値を有する入力信号に相当する制御信号が赤色発光副画素、緑色発光副画素及び青色発光副画素に供給されたと想定したときの赤色発光副画素、緑色発光副画素及び青色発光副画素の輝度が得られるように、この表示領域ユニットに対応する面状光源ユニットの輝度を駆動回路によって制御し、
［ｂ］各表示領域ユニットにおいて、この表示領域ユニットを構成する複数の画素の全てに対する入力信号の値ｘR，ｘG，ｘBのいずれかが、前記所定の値ｋ1・ｘmax未満である場合、この表示領域ユニットを構成する全ての画素を駆動するために駆動回路に入力される赤色発光副画素・入力信号、緑色発光副画素・入力信号、青色発光副画素・入力信号の内の最大値をｘ’U-maxとしたとき、係るｘ’U-maxに等しい値を有する入力信号に相当する制御信号が赤色発光副画素、緑色発光副画素及び青色発光副画素に供給されたと想定したときの赤色発光副画素、緑色発光副画素及び青色発光副画素の輝度が得られるように、この表示領域ユニットに対応する面状光源ユニットの輝度を駆動回路によって制御する構成とすることができる。このとき、必要に応じて、この表示領域ユニットを構成する各画素の光透過率を併せて制御する。
【００１８】
本発明の第１の態様に係る液晶表示装置組立体の駆動方法、あるいは又、本発明の第２の態様に係る液晶表示装置組立体の駆動方法にあっては、面状光源ユニットを発光ダイオード（ＬＥＤ）から構成することが好ましい。そして、この場合、面状光源ユニットの輝度の増減を面状光源ユニットを構成する発光ダイオードのパルス幅変調制御におけるデューティ比の増減制御によって行うことが好ましく、更には、（１＋ｋ0）ｘmaxに等しい値を有する入力信号に相当する制御信号が画素に供給されたと想定したときの画素の輝度が得られるようなデューティ比Ｄ0は、最大デューティ比をＤmaxとしたとき、
Ｄ0＝α0・Ｄmax    （４）
であることが望ましい。尚、「面状光源ユニットの輝度の増減を面状光源ユニットを構成する発光ダイオードのパルス幅変調制御におけるデューティ比の増減制御によって行う」方式を、便宜上、『デューティ比増減制御に基づく面状光源ユニットの輝度制御方式』と呼ぶ。また、本発明の第２の態様に係る液晶表示装置組立体の駆動方法にあっては、デューティ比増減制御に基づく面状光源ユニットの輝度制御方式を採用する場合、ｋ1・ｘmaxに等しい値を有する入力信号に相当する制御信号が画素に供給されたと想定したときの画素の輝度が得られるようなデューティ比Ｄ1は、最大デューティ比をＤmaxとしたとき、
Ｄ1＝α1・Ｄmax    （５）
を満足することが望ましい。
【００１９】
あるいは又、本発明の第２の態様に係る液晶表示装置組立体の駆動方法にあっては、前記の値ｘ’U-maxが、
ｘ’U-max≦ｋ2・ｘmax    （３）
である場合、ｘ’U-max／ｋ2（あるいは、ｘ’U-max／｛（ｋ2・ｘmax）／ｘmax｝）に等しい値を有する入力信号に相当する制御信号が画素に供給されたと想定したときの画素の輝度が得られるように、この表示領域ユニットに対応する面状光源ユニットの輝度を駆動回路によって制御することが好ましい。このような構成にすることで、γ（ガンマ）特性を所望の特性に極力維持し、コントラスト比を増加させつつ、画質が変質することを回避することができる。尚、ｋ1とｋ2との関係として、
０．３５≦ｋ2／ｋ1≦０．５３
を例示することができる。そして、この場合、面状光源ユニットを発光ダイオード（ＬＥＤ）から構成することが好ましい。更には、面状光源ユニットを発光ダイオードから構成する場合、面状光源ユニットの輝度の増減を面状光源ユニットを構成する発光ダイオードのパルス幅変調制御におけるデューティ比の増減制御によって行うことが好ましく、更には、（１＋ｋ0）ｘmaxに等しい値を有する入力信号に相当する制御信号が画素に供給されたと想定したときの画素の輝度が得られるようなデューティ比Ｄ0は、最大デューティ比をＤmaxとしたとき、
Ｄ0＝α0・Ｄmax    （４）
であることが望ましい。また、デューティ比増減制御に基づく面状光源ユニットの輝度制御方式を採用する場合、ｋ1・ｘmaxに等しい値を有する入力信号に相当する制御信号が画素に供給されたと想定したときの画素の輝度が得られるようなデューティ比Ｄ1は、最大デューティ比をＤmaxとしたとき、
Ｄ1＝α1・Ｄmax    （５）
を満足することが望ましく、あるいは、ｋ2・ｘmaxに等しい値を有する入力信号に相当する制御信号が画素に供給されたと想定したときの画素の輝度が得られるようなデューティ比Ｄ2は、最大デューティ比をＤmaxとしたとき、
Ｄ2＝α2・Ｄmax    （６）
を満足することが望ましい。尚、液晶表示装置それ自体のコントラスト比が１０3：１であるとき、α2＝０．２ならば、コントラスト比は５×１０3：１に改善されるし、α2＝０．０１ならば、コントラスト比は１０5：１に改善される。
【００２０】
以上の好ましい形態、構成を含む本発明の第１の態様あるいは第２の態様に係る液晶表示装置組立体の駆動方法（以下、これらを総称して、単に、本発明と呼ぶ場合がある）において、ｘ’U-maxのとり得る値は、０乃至ｘmaxである。また、入力信号（映像信号とも呼ばれる）や制御信号の値ｘ，Ｘに各種の係数を乗じたときの値は整数の値をとるので、種々の計算において丸め誤差が生じる場合があるが、係る丸め誤差は、適切に処理し、あるいは又、所望の計算アルゴリズムにおいて処理するものとする。
【００２１】
本発明において、面状光源ユニット内における式（１）［あるいは、式（１−１）、式（１−２）、式（１−３）］を満足する画素の数は、１個でもよいし、限定するものではないが、１つの表示領域ユニットを構成する画素の数の例えば１％以上、２５％以下とすることもできる。尚、後者の場合、式（１）を満足する複数の画素の入力信号の平均値を、式（２）における第１項の値とすればよいし、若しくは、式（１−１）、式（１−２）、式（１−３）を満足する複数の画素の入力信号の平均値［（ｘU-max(R)＋ｘU-max(G)＋ｘU-max(B)）／３］の平均値を、式（２’）における第１項の値とすればよいし、あるいは又、式（１）を満足する複数の画素の入力信号の最高値を、式（２）における第１項の値とすればよいし、若しくは、式（１−１）、式（１−２）、式（１−３）を満足する複数の画素の入力信号の平均値［（ｘU-max(R)＋ｘU-max(G)＋ｘU-max(B)）／３］の最高値を、式（２’）における第１項の値とすればよい。
【００２２】
本発明においては、種々の値ｘを有する入力信号［あるいは、値ｘR，ｘG，ｘB（但し、ｘR＝ｘG＝ｘB）を有する赤色発光副画素・入力信号、緑色発光副画素・入力信号、及び、青色発光副画素・入力信号］が、画素［あるいは赤色発光副画素、緑色発光副画素、及び、青色発光副画素］に実際に供給されたときの画素の輝度を得るための面状光源ユニットの輝度の値やデューティ比の値を、種々の試験を行い、予め求めておく。そして、これらの関係に基づいた種々のデータを駆動回路内に記憶させておくことが望ましい。また、ｘmax，ｋ0，ｋ1，ｋ2，α0，α1，α2，Ｄmax，Ｄ0，Ｄ1，Ｄ2といった種々の係数やパラメータも、駆動回路内に記憶させておくことが望ましい。
【００２３】
面状光源装置において、面状光源装置を構成する面状光源ユニットの光源として、上述した発光ダイオード（ＬＥＤ）以外にも、冷陰極線型の蛍光ランプや、エレクトロルミネッセンス（ＥＬ）装置、冷陰極電界電子放出装置（ＦＥＤ）、プラズマ表示装置、通常のランプを挙げることもできる。光源を発光ダイオードから構成する場合、例えば波長６４０ｎｍの赤色を発光する赤色発光ダイオード、例えば波長５３０ｎｍの緑色を発光する緑色発光ダイオード、及び、例えば波長４５０ｎｍの青色を発光する青色発光ダイオードを組として構成することで白色光を得ることができるし、白色発光ダイオード（例えば、紫外又は青色発光ダイオードと蛍光体粒子とを組み合わせて白色を発光する発光ダイオード）の発光によって白色光を得ることもできる。赤色、緑色、青色以外の第４番目の色、第５番目の色・・・を発光する発光ダイオードを更に備えていてもよい。
【００２４】
面状光源装置を構成する面状光源ユニットは、例えば、複数の発光ダイオードを隔壁で区分けすることで得ることができる。尚、この場合、１つの面状光源ユニットは、４つの隔壁によって囲まれ、あるいは又、３つの隔壁と筐体（後述する）の１つの側面によって囲まれ、あるいは又、２つの隔壁と筐体の２つの側面によって囲まれている。（１つの赤色発光ダイオード，１つの緑色発光ダイオード，１つの青色発光ダイオード）、（１つの赤色発光ダイオード，２つの緑色発光ダイオード，１つの青色発光ダイオード）、（２つの赤色発光ダイオード，２つの緑色発光ダイオード，１つの青色発光ダイオード）等の組合せから成り、全体として混色されて白色を発光する発光ダイオード・ユニットから面状光源ユニットが構成されていると想定した場合、１つの面状光源ユニットには、少なくとも１つの発光ダイオード・ユニットが備えられている。あるいは又、１つの面状光源ユニットには、少なくとも１つの白色発光ダイオードが備えられている。
【００２５】
発光ダイオードの光出射部分に、ランバーシアン方式のように直進方向への光強度が強いレンズを取り付けてもよいし、光が水平方向に主に出射される２次元方向出射構成を配設してもよい。
【００２６】
発光ダイオードは、所謂フェイスアップ構造を有していてもよいし、フリップチップ構造を有していてもよい。即ち、発光ダイオードは、基板、及び、基板上に形成された発光層から構成されており、発光層から光が外部に出射される構造としてもよいし、発光層からの光が基板を通過して外部に出射される構造としてもよい。より具体的には、発光ダイオード（ＬＥＤ）は、例えば、基板上に形成された第１導電型（例えばｎ型）を有する化合物半導体層から成る第１クラッド層、第１クラッド層上に形成された活性層、活性層上に形成された第２導電型（例えばｐ型）を有する化合物半導体層から成る第２クラッド層の積層構造を有し、第１クラッド層に電気的に接続された第１電極、及び、第２クラッド層に電気的に接続された第２電極を備えている。発光ダイオードを構成する層は、発光波長に依存して、周知の化合物半導体材料から構成すればよい。
【００２７】
更には、面状光源装置は、拡散板、拡散シート、プリズムシート、偏光変換シートといった光学機能シート群や、反射シートを備えている構成とすることができる。
【００２８】
透過型の液晶表示装置は、例えば、透明第１電極を備えたフロント・パネル、透明第２電極を備えたリア・パネル、及び、フロント・パネルとリア・パネルとの間に配された液晶材料から成る。
【００２９】
ここで、フロント・パネルは、より具体的には、例えば、ガラス基板やシリコン基板から成る第１の基板と、第１の基板の内面に設けられた透明第１電極（共通電極とも呼ばれ、例えば、ＩＴＯから成る）と、第１の基板の外面に設けられた偏光フィルムとから構成されている。更には、透過型のカラー液晶表示装置においては、第１の基板の内面に、アクリル樹脂やエポキシ樹脂から成るオーバーコート層によって被覆されたカラーフィルターが設けられている。カラーフィルターの配置パターンとして、デルタ配列、ストライプ配列、ダイアゴナル配列、レクタングル配列を挙げることができる。そして、フロント・パネルは、更に、オーバーコート層上に透明第１電極が形成された構成を有している。尚、透明第１電極上には配向膜が形成されている。一方、リア・パネルは、より具体的には、例えば、ガラス基板やシリコン基板から成る第２の基板と、第２の基板の内面に形成されたスイッチング素子と、スイッチング素子によって導通／非導通が制御される透明第２電極（画素電極とも呼ばれ、例えば、ＩＴＯから成る）と、第２の基板の外面に設けられた偏光フィルムとから構成されている。透明第２電極を含む全面には配向膜が形成されている。これらの透過型のカラー液晶表示装置を含む液晶表示装置を構成する各種の部材や液晶材料は、周知の部材、材料から構成することができる。スイッチング素子として、単結晶シリコン半導体基板に形成されたＭＯＳ型ＦＥＴや薄膜トランジスタ（ＴＦＴ）といった３端子素子や、ＭＩＭ素子、バリスタ素子、ダイオード等の２端子素子を例示することができる。
【００３０】
透明第１電極と透明第２電極の重複領域であって液晶セルを含む領域が、１画素（ピクセル）あるいは１副画素（サブピクセル）に該当する。そして、透過型のカラー液晶表示装置においては、各画素（ピクセル）を構成する赤色発光副画素（副画素［Ｒ］と呼ぶ場合がある）は、係る領域と赤色を透過するカラーフィルターとの組合せから構成され、緑色発光副画素（副画素［Ｇ］と呼ぶ場合がある）は、係る領域と緑色を透過するカラーフィルターとの組合せから構成され、青色発光副画素（副画素［Ｂ］と呼ぶ場合がある）は、係る領域と青色を透過するカラーフィルターとの組合せから構成されている。副画素［Ｒ］、副画素［Ｇ］及び副画素［Ｂ］の配置パターンは、上述したカラーフィルターの配置パターンと一致する。尚、画素は、副画素［Ｒ］、副画素［Ｇ］、及び、副画素［Ｂ］の３種の副画素［Ｒ，Ｇ，Ｂ］を１組として構成される構成に限定されず、例えば、これらの３種の副画素［Ｒ，Ｇ，Ｂ］に更に１あるいは複数の副画素を加えた１組（例えば、輝度向上のために白色を発光する副画素を加えた１組、色再現範囲を拡大するために補色を発光する副画素を加えた１組、色再現範囲を拡大するためにイエローを発光する副画素を加えた１組、色再現範囲を拡大するためにイエロー及びシアンを発光する副画素を加えた１組）から構成することもできる。そして、これらの場合、副画素［Ｒ］，副画素［Ｇ］，副画素［Ｂ］以外の副画素に対しても、副画素［Ｒ］，副画素［Ｇ］，副画素［Ｂ］と同様の制御を行う。
【００３１】
２次元マトリクス状に配列された画素（ピクセル）の数Ｍ0×Ｎ0を（Ｍ0，Ｎ0）で表記したとき、（Ｍ0，Ｎ0）の値として、具体的には、ＶＧＡ（６４０，４８０）、Ｓ−ＶＧＡ（８００，６００）、ＸＧＡ（１０２４，７６８）、ＡＰＲＣ（１１５２，９００）、Ｓ−ＸＧＡ（１２８０，１０２４）、Ｕ−ＸＧＡ（１６００，１２００）、ＨＤ−ＴＶ（１９２０，１０８０）、Ｑ−ＸＧＡ（２０４８，１５３６）の他、（１９２０，１０３５）、（７２０，４８０）、（１２８０，９６０）等、画像表示用解像度の幾つかを例示することができるが、これらの値に限定するものではない。また、（Ｍ0，Ｎ0）の値と（Ｐ，Ｑ）の値との関係として、限定するものではないが、以下の表１に例示することができる。１つの表示領域ユニットを構成する画素の数として、２０×２０乃至３２０×２４０、好ましくは、５０×５０乃至２００×２００を例示することができる。表示領域ユニットにおける画素の数は、一定であってもよいし、異なっていてもよい。
【００３２】
2007179001.tif 000003
【００３３】
液晶表示装置及び面状光源装置を駆動するための駆動回路は、例えば、発光ダイオード（ＬＥＤ）駆動回路、演算回路、記憶装置（メモリ）等から構成された面状光源装置制御回路、及び、タイミングコントローラ等の周知の回路から構成された液晶表示装置駆動回路を備えている。画素あるいは副画素に対応する表示領域の部分の輝度（表示輝度）及び面状光源ユニットの輝度（光源輝度）の制御は、１画像表示フレーム毎に行われる。尚、駆動回路に電気信号として１秒間に送られる画像情報の数（毎秒画像）がフレーム周波数（フレームレート）であり、フレーム周波数の逆数がフレーム時間（単位：秒）である。
【００３４】
画素あるいは副画素の光透過率（開口率とも呼ばれる）Ｌｔ、画素あるいは副画素に対応する表示領域の部分の輝度（表示輝度）ｙ、及び、面状光源ユニットの輝度（光源輝度）Ｙを、以下の表２のとおり、定義する。尚、画素を駆動するために駆動回路に入力され得る入力信号最大値ｘmaxは、入力信号の設計最大値に相当する。また、値ｘを有する入力信号に相当する制御信号の値をＸと表記し、入力信号に関する係数ｋ0，ｋ1，ｋ2に対応する制御信号に関する係数をＫ0，Ｋ1，Ｋ2と表記する。
【００３５】
ところで、例えば撮像管への入力光量をｙin、撮像管からの出力信号であり、例えば放送局等から出力され、画素の光透過率を制御するために駆動回路に入力される入力信号の値をｘ、係る入力信号に相当する制御信号（値：Ｘ）が画素に供給されたと想定したときの表示輝度をｙとしたとき、入力信号の値ｘは、入力光量ｙinの０．４５乗の関数で表すことができ、制御信号の値Ｘあるいは表示輝度ｙは、入力信号ｘの２．２乗の関数で表すことができる。尚、表示輝度ｙと入力信号ｘの２．２乗の関数との関係は、γ（ガンマ）特性と呼ばれる。ここで、
ｙ＝ｘ2.2＝（ｙin0.45）2.2＝ｙin
を満足している。このように、例えば撮像管で撮像された画像が画面上で正確に復元されるように、放送局から例えばテレビジョン受像機まで、あるいは又、ビデオ再生装置からテレビジョン受像機までのシステムが構築されている。尚、輝度増加・面状光源ユニットの光源輝度の制御に伴い、輝度増加・表示領域ユニットを構成する画素の光透過率（開口率）の補正が必要とされる場合がある。
【００３６】
［表２］
Ｙmax・・・・面状光源ユニットにおける最大の光源輝度(一定値）
ＹStd・・・・例えば、液晶表示装置における表示領域全体を、均一、且つ、一定の明るさで照明している従来の面状光源装置における光源輝度(一定値）であり、ＹStd＜Ｙmax
Ｌｔmax・・・入力信号最大値ｘmaxに等しい値を有する入力信号に相当する制御信号が画素（あるいは副画素）に供給されたと想定したときの表示領域ユニットにおける画素（あるいは副画素）の光透過率（開口率）
ｙmax・・・・光源輝度Ｙmaxにおいて、入力信号の値ｘU-maxよりも大きな値（例えば、ｘU-max＋ｋ0・ｘmax）を有する入力信号に相当する制御信号が画素に供給されたと想定したときに得られる表示輝度
ｙ’max・・・光源輝度ＹStdにおいて、入力信号の値ｘ’U-maxを有する入力信号に相当する制御信号が画素に供給されたと想定したときに得られる表示輝度
ｙ”max・・・光源輝度ＹStdにおいて、入力信号の値ｋ2・ｘmaxを有する入力信号に相当する制御信号が画素に供給されたと想定したときに得られる表示輝度
Ｌｔ[Ｘ／ＸMAX] ・・値ｘを有する入力信号に相当する制御信号（値：Ｘ）が画素（あるいは副画素）に供給されたと想定したときの画素（あるいは副画素）の光透過率（開口率）であり、正規化された値である。ここで、ＸMAXは、Ｘの値に依存して、Ｘmaxあるいは（１＋Ｋ0）Ｘmaxのいずれかの値をとる。
ＹMdfy ・・・駆動回路によって制御された面状光源ユニットの輝度
Ｙ” ・・・・Ｌｔ[Ｋ2・Ｘmax／Ｘmax］において表示輝度ｙ”maxが得られるときの光源輝度
【００３７】
また、以下の説明において、式（１）、あるいは、式（１−１）、式（１−２）、式（１−３）を同時に満足する画素が存在する表示領域ユニットを、便宜上、『輝度増加・表示領域ユニット』と呼び、係る表示領域ユニットに対応する面状光源ユニットを、便宜上、『輝度増加・面状光源ユニット』と呼ぶ。また、式（１）を満足する画素が存在しない表示領域ユニット、式（１−１）、式（１−２）、式（１−３）のいずれかしか満足しない画素しか存在しない表示領域ユニットを、便宜上、『輝度不増加・表示領域ユニット』と呼び、係る『輝度不増加・表示領域ユニット』に対応する面状光源ユニットを、便宜上、『輝度不増加・面状光源ユニット』と呼ぶ。
【００３８】
前述した式（Ａ）の様式でｙmax，ｙ’max，ｙ”maxを表現すると、例えば、以下のとおりとなる。
ｙmax  ＝Ｙmax＊＊Ｌｔ［（ＸU-max＋Ｋ0・Ｘmax）／｛（１＋Ｋ0）Ｘmax｝］
ｙ’max＝ＹStd＊＊Ｌｔ［Ｘ’U-max／Ｘmax］
ｙ”max＝ＹStd＊＊Ｌｔ［Ｋ2・Ｘmax／Ｘmax］
【００３９】
本発明の第１の態様に係る液晶表示装置組立体の駆動方法、あるいは又、本発明の第２の態様に係る液晶表示装置組立体の駆動方法における［ａ］にあっては、各表示領域ユニットにおいて、この表示領域ユニットを構成する複数の画素のいずれかに対する入力信号の値ｘが所定の値以上（例えば、ｋ1・ｘmax以上）である場合、係る入力信号の値をｘU-maxとしたとき、係る入力信号の値ｘU-maxよりも大きな値（例えば、ｘU-max＋ｋ0・ｘmax）を有する入力信号に相当する制御信号が画素に供給されたと想定したときの画素の輝度が得られるように、この輝度増加・表示領域ユニットに対応する輝度増加・面状光源ユニットの輝度を駆動回路によって制御するが、この場合の制御形態として、以下に挙げる３通りの制御形態のいずれかを採用することができる。
【００４０】
［第１Ａの制御形態］
第１Ａの制御形態にあっては、入力信号の値ｘU-maxの如何に拘わらず、輝度増加・面状光源ユニットの輝度（光源輝度）を、例えば、Ｙmaxとする。そして、輝度増加・表示領域ユニットを構成する画素であって、値ｘU-maxを有する入力信号に相当する制御信号が供給される画素（以下、便宜上、最高輝度画素（Ａ）と呼ぶ場合がある）の光透過率（開口率）ＬｔMdfyを、表示輝度ｙmaxが得られるような値とする。即ち、入力信号の値がｘであるとき、本来の画素の光透過率（開口率）はＬｔ［Ｘ／ＸMAX］であるが、第１Ａの制御形態にあっては、画素の光透過率（開口率）を、画像表示フレーム毎に、駆動回路の制御下、ＬｔMdfyに補正する。より具体的には、入力信号の値がｘU-maxであるとき、画素の光透過率（開口率）を、例えば、
Ｌｔ［（ＸU-max＋Ｋ0・Ｘmax）／｛（１＋Ｋ0）Ｘmax｝］  （１１）
とする。
【００４１】
［第１Ｂの制御形態］
第１Ｂの制御形態にあっては、入力信号の値ｘU-maxの増加に応じて、輝度増加・面状光源ユニットの輝度を増加させる。即ち、この場合、画像表示フレーム毎に、駆動回路の制御下、光源輝度ＹMdfyを、光透過率Ｌｔ［ＸU-max／Ｘmax］において表示輝度ｙmaxが得られるような値とする（以下の式（１２）参照））。この第１Ｂの制御形態にあっては、輝度増加・面状光源ユニットの光源輝度ＹMdfyの制御を行うが、輝度増加・表示領域ユニットを構成する画素の光透過率（開口率）それ自体が、光源輝度ＹMdfyの制御に起因して変更、補正等されることはない。即ち、入力信号の値はｘであり、第１Ｂの制御形態にあっては、画素の光透過率（開口率）はＬｔ［Ｘ／Ｘmax］である。
【００４２】
ＹMdfy＊＊Ｌｔ［ＸU-max／Ｘmax］
＝Ｙmax＊＊Ｌｔ［（ＸU-max＋Ｋ0・Ｘmax）／｛（１＋Ｋ0）Ｘmax｝］    （１２）
【００４３】
［第１Ｃの制御形態］
第１Ｃの制御形態にあっては、入力信号の値ｘU-maxが如何なる値であっても、輝度増加・表示領域ユニットを構成する最高輝度画素（Ａ）の光透過率（開口率）を、Ｌｔmax（一定）とする。そして、輝度増加・面状光源ユニットにおいて所望の表示輝度が得られるように、輝度増加・面状光源ユニットの制御を行う。即ち、この場合、画像表示フレーム毎に、駆動回路の制御下、光源輝度ＹMdfyを、光透過率Ｌｔmaxにおいて表示輝度ｙmaxが得られるような値とする（以下の式（１３）参照）。この第１Ｃの制御形態にあっては、輝度増加・面状光源ユニットの光源輝度ＹMdfyの制御を行うし、輝度増加・表示領域ユニットを構成する画素の光透過率（開口率）も補正する。
【００４４】
ＹMdfy＊＊Ｌｔmax
＝Ｙmax＊＊Ｌｔ［（ＸU-max＋Ｋ0・Ｘmax）／｛（１＋Ｋ0）Ｘmax｝］    （１３）
【００４５】
また、本発明の第１の態様に係る液晶表示装置組立体の駆動方法にあっては、各表示領域ユニットにおいて、この表示領域ユニットを構成する複数の画素の全てに対する入力信号の値ｘが、例えば、
ｘ≧ｋ1・ｘmax    （１）
を満足しない場合、従来の面状光源装置と同様に、このような輝度不増加・表示領域ユニットに対応する輝度不増加・面状光源ユニットの全てにおいて、輝度を一定とすればよい。即ち、係る輝度不増加・表示領域ユニットが複数存在する場合、これらの輝度不増加・表示領域ユニットに対応する輝度不増加・面状光源ユニットの輝度を同じとすればよい。尚、輝度不増加・表示領域ユニットに対応する輝度不増加・面状光源ユニットの輝度を駆動回路によって制御するが、このときの制御形態として、以下に挙げる制御形態を採用することができる。
【００４６】
［第２Ａの制御形態］
第２Ａの制御形態にあっては、従来の技術と同様に、輝度不増加・面状光源ユニットの光源輝度を、画像表示フレーム毎に、例えば、ＹStdとする。尚、この第２Ａの制御形態にあっては、輝度不増加・面状光源ユニットの光源輝度の制御に伴い、輝度不増加・表示領域ユニットを構成する画素の光透過率（開口率）それ自体が、光源輝度ＹStdの制御に起因して変更、補正等されることはない。また、光源輝度ＹSStdの値は、入力信号の値の如何に拘わらず、一定値である。
【００４７】
一方、本発明の第２の態様に係る液晶表示装置組立体の駆動方法における［ｂ］にあっては、各表示領域ユニットにおいて、この表示領域ユニットを構成する複数の画素の全てに対する入力信号の値ｘが、例えば、
ｘ≧ｋ1・ｘmax    （１）
を満足しない場合、この表示領域ユニットを構成する全ての画素を駆動するために駆動回路に入力される入力信号の内の最大値をｘ’U-maxとしたとき、係るｘ’U-maxに等しい値を有する入力信号に相当する制御信号が画素に供給されたと想定したときの画素の輝度が得られるように、この表示領域ユニットに対応する面状光源ユニットの輝度を駆動回路によって制御するが、このときの制御形態として、以下に挙げる制御形態を採用することができる。
【００４８】
［第２Ｂの制御形態］
第２Ｂの制御形態にあっては、入力信号の値ｘ’U-maxが如何なる値であっても、輝度不増加・表示領域ユニットを構成する画素であって、値ｘ’U-maxを有する入力信号に相当する制御信号が供給される画素（以下、便宜上、最高輝度画素（Ｂ）と呼ぶ場合がある）の光透過率（開口率）を、例えば、Ｌｔmaxといった一定値とする。そして、輝度不増加・面状光源ユニットにおいて所望の表示輝度が得られるように、輝度不増加・面状光源ユニットの制御を行う。即ち、画像表示フレーム毎に、駆動回路の制御下、光源輝度ＹMdfyを、光透過率Ｌｔmaxにおいて表示輝度ｙ’maxが得られるような値とする（以下の式（１４）参照））。この第２Ｂの制御形態にあっては、輝度不増加・面状光源ユニットの光源輝度ＹMdfyの制御を行うし、輝度不増加・表示領域ユニットを構成する画素の光透過率（開口率）も補正する。
【００４９】
ＹMdfy＊＊Ｌｔmax＝ＹStd＊＊Ｌｔ［Ｘ’U-max／Ｘmax］    （１４）
【００５０】
更には、本発明の第２の態様に係る液晶表示装置組立体の駆動方法において、前記の値ｘ’U-maxが、
ｘ’U-max≦ｋ2・ｘmax    （３）
である場合、例えば、以下の制御形態を採用すればよい。
【００５１】
［第２Ｃの制御形態］
第２Ｃの制御形態にあっては、式（３）を満足する入力信号の値ｘ’U-maxが如何なる値であっても、式（３）を満足する輝度不増加・表示領域ユニットに対応する輝度不増加・面状光源ユニットの光源輝度をＹ”といった一定値とする。そして、この場合、係る輝度不増加・表示領域ユニットを構成する最高輝度画素（Ｂ）の光透過率（開口率）ＬｔMdfyを、表示輝度ｙ”maxが得られるような値とする。即ち、入力信号の値がｘであるとき、本来の画素の光透過率（開口率）はＬｔ［Ｘ／Ｘmax］であるが、第２Ｃの制御形態にあっては、画素の光透過率（開口率）を、画像表示フレーム毎に、駆動回路の制御下、ＬｔMdfyに補正する。より具体的には、入力信号の値がｘ’U-maxであるとき、画素の光透過率（開口率）を、
Ｌｔ［Ｘ’U-max／｛（Ｋ2・Ｘmax）／Ｘmax｝］    （１５）
とする。
【００５２】
以上の各種の制御形態を、本発明の第１の態様あるいは第２の態様に係る液晶表示装置組立体の駆動方法に関して纏めると、以下のとおりとなる。
【００５３】
《本発明の第１の態様》
［第１Ａの制御形態］＋［第２Ａの制御形態］
［第１Ｂの制御形態］＋［第２Ａの制御形態］
［第１Ｃの制御形態］＋［第２Ａの制御形態］
【００５４】
《本発明の第２の態様》
［第１Ａの制御形態］＋［第２Ｂの制御形態］
［第１Ａの制御形態］＋［第２Ｂの制御形態］＋［第２Ｃの制御形態］
［第１Ｂの制御形態］＋［第２Ｂの制御形態］
［第１Ｂの制御形態］＋［第２Ｂの制御形態］＋［第２Ｃの制御形態］
［第１Ｃの制御形態］＋［第２Ｂの制御形態］
［第１Ｃの制御形態］＋［第２Ｂの制御形態］＋［第２Ｃの制御形態］
【発明の効果】
【００５５】
本発明の第１の態様に係る液晶表示装置組立体の駆動方法にあっては、各表示領域ユニットを構成する各画素の光透過率を制御するために、駆動回路に入力される入力信号の値ｘが入力信号最大値ｘmaxのｋ1倍（ｋ1＜１）の値である上限閾値ｋ1・ｘmax以上である場合、係る入力信号の値ｘU-maxにバイアス（ｋ0・ｘmax）を加えた値を有する入力信号に相当する制御信号が画素に供給されたと想定したときの画素の輝度が得られるように、この輝度増加・表示領域ユニットに対応する輝度増加・面状光源ユニットの輝度を駆動回路によって制御する（増加させる）ので、係る表示部（上限閾値以上である入力信号に相当する制御信号が供給される画素であり、白表示部と呼ばれる場合もある）を含む輝度増加・表示領域ユニットの輝度レベルを、他の表示領域ユニット（入力信号の値ｘの全てが上限閾値を越えないような表示領域ユニットであり、輝度不増加・表示領域ユニット）の輝度レベルよりも上げることができ、陰極線管の輝き（白の輝き）に類似した輝き（白の輝き）を達成することができる。
【００５６】
また、本発明の第２の態様に係る液晶表示装置組立体の駆動方法にあっては、上述した本発明の第１の態様に係る液晶表示装置組立体の駆動方法と同じ方法に基づき、陰極線管の輝きに類似した輝きを達成することができるだけでなく、面状光源ユニットのそれぞれにおいて、全ての画素における入力信号の値ｘが上限閾値を越えない場合、輝度不増加・表示領域ユニットを構成する全ての画素を駆動するために駆動回路に入力される入力信号の内の最大値ｘ’U-maxに等しい値を有する入力信号に相当する制御信号が画素に供給されたと想定したときの画素の輝度が得られるように、この輝度不増加・表示領域ユニットに対応する輝度不増加・面状光源ユニットの輝度を駆動回路によって増減させるので、コントラスト比を一層向上させることが可能となる。
【発明を実施するための最良の形態】
【００５７】
以下、図面を参照して、実施例に基づき本発明を説明するが、それに先立ち、各実施例において使用に適した透過型のカラー液晶表示装置、面状光源装置、駆動回路の概要を図２４、図２５、図２６の（Ａ）及び（Ｂ）、図２７を参照して、説明する。
【００５８】
図２４に概念図を示すように、各実施例における透過型のカラー液晶表示装置１０は、第１の方向に沿ってＭ0個、第２の方向に沿ってＮ0個の、合計Ｍ0×Ｎ0個の画素が２次元マトリクス状に配列された表示領域１１を備えている。具体的には、例えば、画像表示用解像度としてＨＤ−ＴＶ規格を満たすものであり、２次元マトリクス状に配列された画素（ピクセル）の数Ｍ0×Ｎ0を（Ｍ0，Ｎ0）で表記したとき、例えば、（１９２０，１０８０）である。また、２次元マトリクス状に配列された画素から構成された表示領域１１（図２４において、一点鎖線で示す）がＰ×Ｑ個の仮想の表示領域ユニット１２（境界を点線で示す）に分割されている。（Ｐ，Ｑ）の値は、例えば、（１９，１２）である。但し、図面の簡素化のため、図２４における表示領域ユニット１２（及び、後述する面状光源ユニット４２）の数は、この値と異なる。各表示領域ユニット１２は複数（Ｍ×Ｎ）の画素から構成されており、１つの表示領域ユニット１２を構成する画素の数は、例えば、約１万である。各画素は、それぞれが異なる色を発光する複数の副画素を１組として構成されている。より具体的には、各画素は、赤色発光副画素（副画素［Ｒ］）、緑色発光副画素（副画素［Ｇ］）、及び、青色発光副画素（副画素［Ｂ］）の３種の副画素（サブピクセル）から構成されている。この透過型のカラー液晶表示装置１０は、線順次駆動される。より具体的には、カラー液晶表示装置１０は、マトリクス状に交差する走査電極（第１の方向に沿って延びている）とデータ電極（第２の方向に沿って延びている）とを有し、走査電極に走査信号を入力して走査電極を選択、走査し、データ電極に入力されたデータ信号（制御信号に基づく信号である）に基づき画像を表示させ、１画面を構成する。
【００５９】
カラー液晶表示装置１０は、図２７に模式的な一部断面図を示すように、透明第１電極２４を備えたフロント・パネル２０、透明第２電極３４を備えたリア・パネル３０、及び、フロント・パネル２０とリア・パネル３０との間に配された液晶材料１３から成る。
【００６０】
フロント・パネル２０は、例えば、ガラス基板から成る第１の基板２１と、第１の基板２１の外面に設けられた偏光フィルム２６とから構成されている。第１の基板２１の内面には、アクリル樹脂やエポキシ樹脂から成るオーバーコート層２３によって被覆されたカラーフィルター２２が設けられ、オーバーコート層２３上には、透明第１電極（共通電極とも呼ばれ、例えば、ＩＴＯから成る）２４が形成され、透明第１電極２４上には配向膜２５が形成されている。一方、リア・パネル３０は、より具体的には、例えば、ガラス基板から成る第２の基板３１と、第２の基板３１の内面に形成されたスイッチング素子（具体的には、薄膜トランジスタ、ＴＦＴ）３２と、スイッチング素子３２によって導通／非導通が制御される透明第２電極（画素電極とも呼ばれ、例えば、ＩＴＯから成る）３４と、第２の基板３１の外面に設けられた偏光フィルム３６とから構成されている。透明第２電極３４を含む全面には配向膜３５が形成されている。フロント・パネル２０とリア・パネル３０とは、それらの外周部で封止材（図示せず）を介して接合されている。尚、スイッチング素子３２は、ＴＦＴに限定されず、例えば、ＭＩＭ素子から構成することもできる。また、図面における参照番号３７は、スイッチング素子３２とスイッチング素子３２との間に設けられた絶縁層である。
【００６１】
尚、これらの透過型のカラー液晶表示装置を構成する各種の部材や、液晶材料は、周知の部材、材料から構成することができるので、詳細な説明は省略する。
【００６２】
直下型の面状光源装置（バックライト）４０は、Ｐ×Ｑ個の仮想の表示領域ユニット１２に対応したＰ×Ｑ個の面状光源ユニット４２から成り、各面状光源ユニット４２は、面状光源ユニット４２に対応する表示領域ユニット１２を背面から照明する。面状光源ユニット４２に備えられた光源は、個別に制御される。尚、カラー液晶表示装置１０の下方に面状光源装置４０が位置しているが、図２４においては、カラー液晶表示装置１０と面状光源装置４０とを別々に表示した。面状光源装置４０における発光ダイオード等の配置、配列状態を図２６の（Ａ）に模式的に示し、面状光源装置及びカラー液晶表示装置組立体の模式的な一部断面図を図２６の（Ｂ）に示す。光源は、パルス幅変調（ＰＷＭ）制御方式に基づき駆動される発光ダイオード４１から成る。また、面状光源ユニット４２の輝度の増減は、面状光源ユニット４２を構成する発光ダイオード４１のパルス幅変調制御におけるデューティ比の増減制御によって行う。
【００６３】
図２６の（Ｂ）に液晶表示装置組立体の模式的な一部断面図を示すように、面状光源装置４０は、外側フレーム５３と内側フレーム５４とを備えた筐体５１から構成されている。そして、透過型のカラー液晶表示装置１０の端部は、外側フレーム５３と内側フレーム５４とによって、スペーサ５５Ａ，５５Ｂを介して挟み込まれるように保持されている。また、外側フレーム５３と内側フレーム５４との間には、ガイド部材５６が配置されており、外側フレーム５３と内側フレーム５４とによって挟み込まれたカラー液晶表示装置１０がずれない構造となっている。筐体５１の内部であって上部には、拡散板６１が、スペーサ５５Ｃ、ブラケット部材５７を介して、内側フレーム５４に取り付けられている。また、拡散板６１の上には、拡散シート６２、プリズムシート６３、偏光変換シート６４といった光学機能シート群が積層されている。
【００６４】
筐体５１の内部であって下部には、反射シート６５が備えられている。ここで、この反射シート６５は、その反射面が拡散板６１と対向するように配置され、筐体５１の底面５２Ａに図示しない取付け用部材を介して取り付けられている。反射シート６５は、例えば、シート基材上に、銀反射膜、低屈折率膜、高屈折率膜を順に積層された構造を有する銀増反射膜から構成することができる。反射シート６５は、複数の発光ダイオード４１から出射された光や、筐体５１の側面５２Ｂ、あるいは、図２６の（Ａ）に示す隔壁４４によって反射された光を反射する。こうして、赤色を発光する赤色発光ダイオード４１Ｒ、緑色を発光する緑色発光ダイオード４１Ｇ、及び、青色を発光する青色発光ダイオード４１Ｂから出射された赤色光、緑色光及び青色光が混色され、色純度の高い白色光を照明光として得ることができる。この照明光は、拡散板６１、拡散シート６２、プリズムシート６３、偏光変換シート６４といった光学機能シート群を通過し、カラー液晶表示装置１０を背面から照射する。
【００６５】
筐体５１の底面５２Ａ近傍には、光センサーであるフォトダイオード４３Ｒ，４３Ｇ，４３Ｂが配置されている。尚、フォトダイオード４３Ｒは、赤色光の光強度を測定するために赤色フィルターが取り付けられたフォトダイオードであり、フォトダイオード４３Ｇは、緑色光の光強度を測定するために緑色フィルターが取り付けられたフォトダイオードであり、フォトダイオード４３Ｂは、青色光の光強度を測定するために青色フィルターが取り付けられたフォトダイオードである。ここで、１個の面状光源ユニット４２に１組の光センサー（フォトダイオード４３Ｒ，４３Ｇ，４３Ｂ）が配置されている。
【００６６】
発光ダイオード４１Ｒ，４１Ｇ，４１Ｂの配列状態は、例えば、赤色（例えば、波長６４０ｎｍ）を発光する赤色発光ダイオード４１Ｒ、緑色（例えば、波長５３０ｎｍ）を発光する緑色発光ダイオード４１Ｇ、及び、青色（例えば、波長４５０ｎｍ）を発光する青色発光ダイオード４１Ｂを１組とした発光ダイオード・ユニットを水平方向及び垂直方向に複数、並べる配列とすることができる。
【００６７】
面状光源装置４０を構成する面状光源ユニット４２は、複数の発光ダイオード４１を、面状光源ユニット４２の照明光（より具体的には、発光ダイオード４１の出射光）に対して不透明な隔壁４４によって区分けすることで得ることができる。面状光源ユニット４２における輝度は、隣接する面状光源ユニット４２によって影響を受けない。
【００６８】
図２４及び図２５に示すように、外部（ディスプレイ回路）からの入力信号に基づき面状光源装置４０及びカラー液晶表示装置１０を駆動するための駆動回路は、パルス幅変調制御方式に基づき、面状光源装置４０を構成する赤色発光ダイオード４１Ｒ、緑色発光ダイオード４１Ｇ及び青色発光ダイオード４１Ｂのオン／オフ制御を行う面状光源装置制御回路７０及び面状光源ユニット駆動回路８０、並びに、液晶表示装置駆動回路９０から構成されている。面状光源装置制御回路７０は、演算回路７１及び記憶装置（メモリ）７２から構成されている。一方、面状光源ユニット駆動回路８０は、演算回路８１、記憶装置（メモリ）８２、ＬＥＤ駆動回路８３、フォトダイオード制御回路８４、ＦＥＴから成るスイッチング素子８５Ｒ，８５Ｇ，８５Ｂ、発光ダイオード駆動電源（定電流源）８６から構成されている。面状光源装置制御回路７０及び面状光源ユニット駆動回路８０を構成するこれらの回路等は、周知の回路等とすることができる。一方、カラー液晶表示装置１０を駆動するための液晶表示装置駆動回路９０は、タイミングコントローラ９１といった周知の回路から構成されている。カラー液晶表示装置１０には、液晶セルを構成するＴＦＴから成るスイッチング素子３２を駆動するための、ゲート・ドライバ、ソース・ドライバ等（これらは図示せず）が備えられている。或る画像表示フレームにおける発光ダイオード４１Ｒ，４１Ｇ，４１Ｂの発光状態は、フォトダイオード４３Ｒ，４３Ｇ，４３Ｂによって測定され、フォトダイオード４３Ｒ，４３Ｇ，４３Ｂからの出力はフォトダイオード制御回路８４に入力され、フォトダイオード制御回路８４、演算回路８１において、発光ダイオード４１Ｒ，４１Ｇ，４１Ｂの例えば輝度及び色度としてのデータ（信号）とされ、係るデータがＬＥＤ駆動回路８３に送られ、次の画像表示フレームにおける発光ダイオード４１Ｒ，４１Ｇ，４１Ｂの発光状態が制御されるといったフィードバック機構が形成される。また、発光ダイオード４１Ｒ，４１Ｇ，４１Ｂの下流には電流検出用の抵抗体ｒR，ｒG，ｒBが、発光ダイオード４１Ｒ，４１Ｇ，４１Ｂと直列に挿入されており、抵抗体ｒR，ｒG，ｒBを流れる電流が電圧に変換され、抵抗体ｒR，ｒG，ｒBにおける電圧降下が所定の値となるように、ＬＥＤ駆動回路８３の制御下、発光ダイオード駆動電源８６の動作が制御される。ここで、図２５には、発光ダイオード駆動電源（定電流源）８６を１つで描写しているが、実際には、発光ダイオード４１Ｒ，４１Ｇ，４１Ｂのそれぞれを駆動するための発光ダイオード駆動電源８６が配されている。
【００６９】
２次元マトリクス状に配列された画素から構成された表示領域がＰ×Ｑ個の表示領域ユニットに分割されているが、この状態を、「行」及び「列」で表現すると、Ｑ行×Ｐ列の表示領域ユニットに分割されていると云える。また、表示領域ユニット１２は複数（Ｍ×Ｎ）の画素から構成されているが、この状態を、「行」及び「列」で表現すると、Ｎ行×Ｍ列の画素から構成されていると云える。更には、赤色発光副画素（副画素［Ｒ］）、緑色発光副画素（副画素［Ｇ］）、及び、青色発光副画素（副画素［Ｂ］）を一括して纏めて『副画素［Ｒ，Ｇ，Ｂ］』と呼ぶ場合があるし、副画素［Ｒ，Ｇ，Ｂ］の動作の制御（具体的には、例えば、光透過率（開口率）の制御）のために副画素［Ｒ，Ｇ，Ｂ］に入力される赤色発光副画素・制御信号、緑色発光副画素・制御信号、及び、青色発光副画素・制御信号を一括して纏めて『制御信号［Ｒ，Ｇ，Ｂ］』と呼ぶ場合があるし、表示領域ユニットを構成する副画素［Ｒ，Ｇ，Ｂ］を駆動するために駆動回路に外部から入力される赤色発光副画素・入力信号、緑色発光副画素・入力信号、及び、青色発光副画素・入力信号を一括して纏めて『入力信号［Ｒ，Ｇ，Ｂ］』と呼ぶ場合がある。尚、入力信号の伝送方式として、ＬＶＤＳ（Low Voltage Differential Signaling）方式を挙げることができる。このＬＶＤＳ方式とは、パラレル信号を低電圧差動のシリアル信号に変換して伝送する方式であり、ノイズ及び不要輻射を低減し、伝送線を削減することができる。但し、信号伝送方式は、ＬＶＤＳ方式に限られず、例えば、ＬＶＴＴＬ方式を採用してもよい。
【００７０】
各画素は、前述したように、赤色発光副画素（赤色発光サブピクセル，副画素［Ｒ］）、緑色発光副画素（緑色発光サブピクセル，副画素［Ｇ］）、及び、青色発光副画素（青色発光サブピクセル，副画素［Ｂ］）の３種の副画素（サブピクセル）を１組として構成されている。以下の実施例の説明においては、副画素［Ｒ，Ｇ，Ｂ］のそれぞれの輝度の制御（階調制御）を８ビット制御とし、０〜２５５の２8段階にて行うとする。従って、各表示領域ユニット１２を構成する各画素における副画素［Ｒ，Ｇ，Ｂ］のそれぞれを駆動するために液晶表示装置駆動回路９０に入力される入力信号［Ｒ，Ｇ，Ｂ］の値ｘR，ｘG，ｘBのそれぞれは、２8段階の値をとる。また、各面状光源ユニットを構成する赤色発光ダイオード４１Ｒ、緑色発光ダイオード４１Ｇ及び青色発光ダイオード４１Ｂのそれぞれの発光時間を制御するためのパルス幅変調出力信号の値ＳR，ＳG，ＳBも、０〜２５５の２8段階の値をとる。但し、これに限定するものではなく、例えば、１０ビット制御とし、０〜１０２３の２10段階にて行うこともでき、この場合には、８ビットの数値での表現を、例えば４倍すればよい。
【００７１】
画素のそれぞれに、画素のそれぞれの光透過率Ｌｔを制御する制御信号が駆動回路から供給される。具体的には、副画素［Ｒ，Ｇ，Ｂ］のそれぞれに、副画素［Ｒ，Ｇ，Ｂ］のそれぞれの光透過率Ｌｔを制御する制御信号［Ｒ，Ｇ，Ｂ］が液晶表示装置駆動回路９０から供給される。即ち、液晶表示装置駆動回路９０においては、入力された入力信号［Ｒ，Ｇ，Ｂ］から制御信号［Ｒ，Ｇ，Ｂ］が生成され、この制御信号［Ｒ，Ｇ，Ｂ］が副画素［Ｒ，Ｇ，Ｂ］に供給（出力）される。尚、必要に応じて、面状光源ユニット４２の光源輝度Ｙを１画像表示フレーム毎に変化させるので、制御信号［Ｒ，Ｇ，Ｂ］は、例えば、入力信号［Ｒ，Ｇ，Ｂ］の値ｘR，ｘG，ｘBを２．２乗した値に対して、光源輝度Ｙの変化に基づく補正（補償）を行った値ＸR-corr，ＸG-corr，ＸB-corrを有する。そして、液晶表示装置駆動回路９０を構成するタイミングコントローラ９１から、カラー液晶表示装置１０のゲート・ドライバ及びソース・ドライバに、制御信号［Ｒ，Ｇ，Ｂ］が周知の方法で送出され、制御信号［Ｒ，Ｇ，Ｂ］に基づき各副画素を構成するスイッチング素子３２が駆動され、液晶セルを構成する透明第１電極２４及び透明第２電極３４に所望の電圧が印加されることで、各副画素の光透過率（開口率）Ｌｔが制御される。ここで、制御信号［Ｒ，Ｇ，Ｂ］の値ＸR-corr，ＸG-corr，ＸB-corrが大きいほど、副画素［Ｒ，Ｇ，Ｂ］の光透過率（開口率）Ｌｔが高くなり、副画素［Ｒ，Ｇ，Ｂ］に対応する表示領域の部分の輝度（表示輝度ｙ）の値が高くなる。即ち、副画素［Ｒ，Ｇ，Ｂ］を通過する光によって構成される画像（通常、一種、点状である）は明るい。
【００７２】
表示輝度ｙ及び光源輝度Ｙの制御は、カラー液晶表示装置１０の画像表示における１画像表示フレーム毎、表示領域ユニット毎、面状光源ユニット毎に行われる。また、１画像表示フレーム内におけるカラー液晶表示装置１０の動作と面状光源装置４０の動作とは同期させられる。
【実施例１】
【００７３】
実施例１は、本発明の第１の態様に係る液晶表示装置組立体の駆動方法に関する。尚、実施例１あるいは後述する実施例２〜実施例９における各種パラメータの具体的な値を表３に示す。また、実施例１あるいは後述する実施例２〜実施例９における、画素に供給される制御信号の値Ｘと光源輝度Ｙ、副画素の光透過率（開口率）Ｌｔ及び表示輝度ｙとの関係を模式的に図１〜図９に示すが、図１〜図９において、実線は、輝度増加・表示領域ユニット及び輝度増加・面状光源ユニットの挙動を示し、点線は、輝度不増加・表示領域ユニット及び輝度不増加・面状光源ユニットの挙動を示し、一点鎖線は、輝度増加・表示領域ユニット及び輝度増加・面状光源ユニット、並びに、輝度不増加・表示領域ユニット及び輝度不増加・面状光源ユニットにおいて共通の挙動を示す。
【００７４】
［表３］
ｘmax        ＝２５６
ｋ0          ＝０．１２５
ｋ1          ＝０．９３７５
ｋ1・ｘmax   ＝２４０
ｋ0・ｘmax   ＝  ３２
ｋ2          ＝０．４８５
α0          ＝１．００
α1          ＝０．７
α2          ＝０．１
Ｄmax＝カラー液晶表示装置における表示領域ユニットにおいて、７１４ｃｄ／ｍ2の値が得られるデューティ比
Ｄ0＝Ｄmax
Ｄ1＝カラー液晶表示装置における表示領域ユニットにおいて、５００ｃｄ／ｍ2の値が得られるデューティ比
Ｄ2＝カラー液晶表示装置における表示領域ユニットにおいて、７１ｃｄ／ｍ2の値が得られるデューティ比
【００７５】
実施例１は、「第１Ａの制御形態」＋「第２Ａの制御形態」に関する。以下、図１、［第１Ａの制御形態］における、面状光源装置の光源輝度と画素の光透過率（開口率）と表示輝度との関係を説明するための概念図である図１０、並びに、液晶表示装置組立体の駆動方法を説明するための流れ図である図１５を参照して、実施例１の液晶表示装置組立体の駆動方法を説明する。
【００７６】
［ステップ−１００］
スキャンコンバータ等の周知のディスプレイ回路から送出された１画像表示フレーム分の入力信号（入力信号［Ｒ，Ｇ，Ｂ］（値：ｘR，ｘG，ｘB））、並びに、クロック信号ＣＬＫは、先ず、面状光源装置制御回路７０及び液晶表示装置駆動回路９０に入力される（図２４参照）。あるいは又、これらの信号は、面状光源装置制御回路７０に入力され、そのまま出力されて、液晶表示装置駆動回路９０に入力される。尚、入力信号は、映像信号とも呼ばれる。そして、面状光源装置制御回路７０に入力された１画像表示フレーム分の入力信号［Ｒ，Ｇ，Ｂ］（値：ｘR，ｘG，ｘB）は、面状光源装置制御回路７０を構成する記憶装置（メモリ）７２に、一旦、記憶される。また、液晶表示装置駆動回路９０に入力された１画像表示フレーム分の入力信号［Ｒ，Ｇ，Ｂ］の値ｘR，ｘG，ｘBも、液晶表示装置駆動回路９０を構成する記憶装置（図示せず）に、一旦、記憶される。尚、入力信号［Ｒ，Ｇ，Ｂ］は、例えば撮像管への入力光量をｙinとしたとき、撮像管からの出力信号であり、例えば放送局等から出力され、画素の光透過率を制御するために駆動回路７０，９０に入力される入力信号であり、入力光量ｙinの０．４５乗の関数で表すことができる。
【００７７】
［ステップ−１１０］
次いで、面状光源装置制御回路７０を構成する演算回路７１においては、記憶装置（メモリ）７２に記憶された入力信号の値ｘを読み出す。そして、各表示領域ユニット１２において、この表示領域ユニット１２を構成する複数の画素のいずれかに対する入力信号の値ｘが所定の値（具体的には、実施例１にあっては、ｋ1・ｘmax）以上である場合、係る入力信号の値をｘU-maxとしたとき、値ｘU-maxよりも大きな値（具体的には、実施例１にあっては、ｘU-max＋ｋ0・ｘmaxに等しい値）を有する入力信号に相当する制御信号が画素に供給されたと想定したときの画素の輝度が得られるように、この表示領域ユニット１２に対応する面状光源ユニット４２の輝度を駆動回路７０，８０によって制御する。
【００７８】
具体的には、第（ｐ，ｑ）番目［但し、先ず、ｐ＝１，ｑ＝１］の表示領域ユニット１２を構成する複数の画素のいずれかに対する入力信号の値ｘが、
ｘ≧ｋ1・ｘmax    （１）
を満足するか否かを調べる。より具体的には、表示領域ユニット１２を構成する複数の画素における副画素［Ｒ，Ｇ，Ｂ］のいずれかに対する入力信号の値（ｘR，ｘG，ｘB）が、同時に、上限閾値であるｋ1・ｘmaxの値以上であるか、即ち、
ｘR≧ｋ1・ｘmax    （１−１）
ｘG≧ｋ1・ｘmax    （１−２）
ｘB≧ｋ1・ｘmax    （１−３）
を満足するか否かを調べる。尚、このステップは、ｍ＝１，２，・・・，Ｍ、ｎ＝１，２，・・・，Ｎの全てに対して、即ち、表示領域ユニット１２を構成するＭ×Ｎ個の画素に対して、実行される。
【００７９】
［ステップ−１２０Ａ］
そして、
ｘ≧ｋ1・ｘmax    （１）
を満足する場合、係る入力信号の値をｘU-maxとする。より具体的には、
ｘR≧ｋ1・ｘmax    （１−１）
ｘG≧ｋ1・ｘmax    （１−２）
ｘB≧ｋ1・ｘmax    （１−３）
を同時に満足する場合、係るそれぞれの入力信号の値をｘU-max(R)，ｘU-max(G)，ｘU-max(B)とする。そして、
ｘU-max＋ｋ0・ｘmax    （２）
に等しい値を有する入力信号に相当する制御信号が画素に供給されたと想定したときの画素の輝度が得られるように、輝度増加・表示領域ユニット１２に対応する輝度増加・面状光源ユニット４２の輝度を駆動回路７０，８０によって制御する。より具体的には、
（ｘU-max(R)＋ｘU-max(G)＋ｘU-max(B)）／３＋ｋ0・ｘmax    （２’）
に等しい値を有する入力信号［Ｒ，Ｇ，Ｂ］に相当する制御信号［Ｒ，Ｇ，Ｂ］が副画素［Ｒ，Ｇ，Ｂ］に供給されたと想定したときの副画素［Ｒ，Ｇ，Ｂ］の輝度が得られるように、輝度増加・表示領域ユニット１２に対応する輝度増加・面状光源ユニット４２の輝度を駆動回路７０，８０によって制御する。即ち、輝度増加・面状光源ユニット４２の輝度を増加させる。尚、式（２’）の右辺第１項の値を整数とし、３で除したときに整数とならない場合には、小数点第１桁を四捨五入する。また、式（２’）の右辺第２項の値も整数とし、ｋ0・ｘmaxの値が整数となるように係数ｋ0を選択する。
【００８０】
即ち、実施例１にあっては、［第１Ａの制御形態］の採用しているので、入力信号の値ｘU-maxの如何に拘わらず、輝度増加・面状光源ユニット４２の光源輝度をＹmaxとする。そして、輝度増加・表示領域ユニット１２を構成する副画素［Ｒ，Ｇ，Ｂ］であって、値ｘU-maxを有する入力信号に相当する制御信号が供給される画素［最高輝度画素（Ａ）］の光透過率（開口率）ＬｔMdfyを、表示輝度ｙmaxが得られるような値とする。具体的には、入力信号の値がｘであるとき、本来の画素の光透過率（開口率）はＬｔ［Ｘ／Ｘmax］であるが、実施例１にあっては、画素の光透過率（開口率）を、画像表示フレーム毎に、駆動回路の制御下、ＬｔMdfyに補正する。より具体的には、入力信号の値がｘU-maxであるとき、画素の光透過率（開口率）を、
Ｌｔ［（ＸU-max＋Ｋ0・Ｘmax）／｛（１＋Ｋ0）Ｘmax｝］  （１１）
とする。
【００８１】
具体的には、例えば、
ｘU-max(R)＝２４０
ｘU-max(G)＝２５５
ｘU-max(B)＝２５０
とした場合、式（２’）から、演算回路７１において、（ｘU-max(R)＋ｘU-max(G)＋ｘU-max(B)）の値を計算する。即ち、
ｘU-max＝（２４０＋２５５＋２５０）／３＋３２
＝２４８＋３２
＝２８０
となる。従って、ｘU-max＝２８０に等しい値を有する入力信号［Ｒ，Ｇ，Ｂ］に相当する制御信号［Ｒ，Ｇ，Ｂ］が副画素［Ｒ，Ｇ，Ｂ］に供給されたと想定したときの副画素［Ｒ，Ｇ，Ｂ］の輝度が得られるように、表示領域ユニット１２に対応する面状光源ユニット４２の輝度を駆動回路７０，８０によって制御する。
【００８２】
具体的には、Ｙmaxを１．１２５、ＹStdを１．０００と仮定する。このとき、ｘU-max＝２８０に等しい値を有する入力信号［Ｒ，Ｇ，Ｂ］に相当する制御信号［Ｒ，Ｇ，Ｂ］が副画素［Ｒ，Ｇ，Ｂ］に供給されたと想定したときの副画素［Ｒ，Ｇ，Ｂ］の輝度ｙ280は、式（１１）に基づき、以下のように表される。
ｙ280＝Ｙmax＊＊Ｌｔ［２８０／２８８］
【００８３】
尚、ｘ＝２４８に等しい値を有する入力信号［Ｒ，Ｇ，Ｂ］に相当する制御信号［Ｒ，Ｇ，Ｂ］が副画素［Ｒ，Ｇ，Ｂ］に供給されたと想定したときの副画素［Ｒ，Ｇ，Ｂ］の輝度ｙ248は、表示輝度がＹStdのとき、以下のように表される。
ｙ248＝ＹStd＊＊Ｌｔ［２４８／２５６］
【００８４】
従って、
ｙ280／ｙ248＝１．１２９
となる。
【００８５】
また、（１＋ｋ0）ｘmax＝２８８に等しい値を有する入力信号［Ｒ，Ｇ，Ｂ］に相当する制御信号［Ｒ，Ｇ，Ｂ］が画素に供給されたと想定したときの画素の輝度が得られるようなデューティ比Ｄ0は、最大デューティ比をＤmaxとしたとき、
Ｄ0＝α0・Ｄmax    （４）
である。
【００８６】
より具体的には、面状光源装置制御回路７０を構成する演算回路７１において、Ｙmaxを得るためのパルス幅変調出力信号の値Ｓ（面状光源ユニット４２における赤色発光ダイオード４１Ｒの発光時間を制御するためのパルス幅変調出力信号の値ＳR、緑色発光ダイオード４１Ｇの発光時間を制御するためのパルス幅変調出力信号の値ＳG、青色発光ダイオード４１Ｂの発光時間を制御するためのパルス幅変調出力信号の値ＳB）が選択（決定）される。
【００８７】
そして、面状光源装置制御回路７０を構成する演算回路７１において得られたパルス幅変調出力信号の値ＳR，ＳG，ＳBは、面状光源ユニット４２に対応して設けられた面状光源ユニット駆動回路８０の記憶装置８２に送出され、記憶装置８２において記憶される。また、クロック信号ＣＬＫも面状光源ユニット駆動回路８０に送出される（図２５参照）。
【００８８】
［ステップ−１２０Ｂ］
一方、上述した式（１）を満足する［あるいは又、上述した式（１−１）、式（１−２）、式（１−３）を同時に満足する］画素が表示領域ユニット１２内に存在しないと演算回路７１において判断された場合には、実施例１にあっては、［第２Ａの制御形態］を採用しているので、従来の技術と同様に、輝度不増加・面状光源ユニットの光源輝度を、画像表示フレーム毎に、例えば、ＹStdとする。尚、画素の光透過率（開口率）それ自体が、変更、補正等されることはない。また、光源輝度ＹSStdの値は、入力信号の値の如何に拘わらず、一定値である。具体的には、画像表示フレーム毎に面状光源ユニットの光源輝度ＹStdを得るためのパルス幅変調出力信号の値Ｓ（面状光源ユニット４２における赤色発光ダイオード４１Ｒの発光時間を制御するためのパルス幅変調出力信号の値ＳR、緑色発光ダイオード４１Ｇの発光時間を制御するためのパルス幅変調出力信号の値ＳG、青色発光ダイオード４１Ｂの発光時間を制御するためのパルス幅変調出力信号の値ＳB）が、面状光源ユニット４２に対応して設けられた面状光源ユニット駆動回路８０の記憶装置８２に送出され、記憶装置８２において記憶される。また、クロック信号ＣＬＫも面状光源ユニット駆動回路８０に送出される（図２５参照）。
【００８９】
以上に説明した［ステップ−１１０］、［ステップ−１２０Ａ］、及び、［ステップ−１２０Ｂ］を、ｑ＝１として、ｐ＝１からｐ＝Ｐまで繰り返し、更には、ｑ＝２からｑ＝Ｑまで、且つ、ｐ＝１からｐ＝Ｐまで繰り返す。こうして、１画像表示フレームの画像表示が行われる。
【００９０】
［ステップ−１３０］
そして、パルス幅変調出力信号の値ＳR，ＳG，ＳBに基づき、面状光源ユニット４２を構成する赤色発光ダイオード４１Ｒのオン時間ｔR-ON及びオフ時間ｔR-OFF、緑色発光ダイオード４１Ｇのオン時間ｔG-ON及びオフ時間ｔG-OFF、青色発光ダイオード４１Ｂのオン時間ｔB-ON及びオフ時間ｔB-OFFを演算回路８１は決定する。尚、
ｔR-ON＋ｔR-OFF＝ｔG-ON＋ｔG-OFF＝ｔB-ON＋ｔB-OFF＝一定値ｔConst
である。また、発光ダイオードのパルス幅変調に基づく駆動におけるデューティ比は、
ｔON／（ｔON＋ｔOFF）＝ｔON／ｔConst
で表すことができる。
【００９１】
そして、面状光源ユニット４２を構成する赤色発光ダイオード４１Ｒ，緑色発光ダイオード４１Ｇ、青色発光ダイオード４１Ｂのオン時間ｔR-ON，ｔG-ON，ｔB-ONに相当する信号が、ＬＥＤ駆動回路８３に送られ、このＬＥＤ駆動回路８３から、オン時間ｔR-ON，ｔG-ON，ｔB-ONに相当する信号の値に基づき、スイッチング素子８５Ｒ，８５Ｇ，８５Ｂが、オン時間ｔR-ON，ｔG-ON，ｔB-ONだけオン状態となり、発光ダイオード駆動電源８６からのＬＥＤ駆動電流が、各発光ダイオード４１Ｒ，４１Ｇ，４１Ｂに流される。その結果、各発光ダイオード４１Ｒ，４１Ｇ，４１Ｂは、１画像表示フレームにおいて、オン時間ｔR-ON，ｔG-ON，ｔB-ONだけ発光する。こうして、第（ｐ，ｑ）番目の表示領域ユニット１２を、所定の照度において照明するが、１画像表示フレームの画像表示が行われる。１画像表示フレーム内における液晶表示装置１０の動作と面状光源装置４０の動作とは同期させられる。
【００９２】
［ステップ−１４０］
一方、液晶表示装置駆動回路９０に入力された入力信号［Ｒ，Ｇ，Ｂ］の値ｘR，ｘG，ｘBはタイミングコントローラ９１へ送られ、タイミングコントローラ９１にあっては、入力された入力信号［Ｒ，Ｇ，Ｂ］に相当する制御信号［Ｒ，Ｇ，Ｂ］を、副画素［Ｒ，Ｇ，Ｂ］に供給（出力）する。液晶表示装置駆動回路９０のタイミングコントローラ９１において生成され、液晶表示装置駆動回路９０から副画素［Ｒ，Ｇ，Ｂ］に供給される制御信号［Ｒ，Ｇ，Ｂ］の値ＸR，ＸG，ＸBと、入力信号［Ｒ，Ｇ，Ｂ］の値ｘR，ｘG，ｘBとは、以下の式（２１−１）、式（２１−２）、式（２１−３）の関係にある。但し、ｂ1_R，ｂ0_R，ｂ1_G，ｂ0_G，ｂ1_B，ｂ0_Bは定数である。また、式（２１−１）、式（２１−２）、式（２１−３）の関数ｆR，ｆG，ｆBは、必要に応じて、光源輝度の制御に基づき制御信号［Ｒ，Ｇ，Ｂ］の値ＸR，ＸG，ＸBを補正（補償）するために、予め求められた関数である。
【００９３】
ＸR＝ｆR（ｂ1_R・ｘR2.2＋ｂ0_R）    （２１−１）
ＸG＝ｆG（ｂ1_G・ｘG2.2＋ｂ0_G）    （２１−２）
ＸB＝ｆB（ｂ1_B・ｘB2.2＋ｂ0_B）    （２１−３）
【００９４】
こうして得られた状態を、図１に実線及び点線で示すが、図１あるいは後述する図２〜図９における制御信号の値Ｘに関しては、副画素を駆動するために液晶表示装置駆動回路９０に入力される入力信号の値ｘを２．２乗した値（ｘ≡ｘ2.2）に対して、更に、必要に応じて、前述したように光源輝度の制御に基づく補正を行っている。
【００９５】
式（２）あるいは式（２’）の右辺第２項のｋ0・ｘmaxにおける係数ｋ0を、発光制御信号の平均値［（ｘU-max(R)＋ｘU-max(G)＋ｘU-max(B)／３）＝ｘAve］の１次あるいは２次以上の多項式で表現される関数Ｆ_k0（ｘAve）とすることもできる。例えば、関数Ｆ_k0（ｘAve）として、ｘAveの１次関数、例えば、
Ｆ_k0（ｘAve）＝ｋ0・ｘAve／｛（１−ｋ1）・ｘmax) ｝−ｋ0・ｋ1／（１−ｋ1）
を例示することができる。尚、関数Ｆ_k0（ｘAve）は、上記のとおり、ｘAve＝ｋ1・ｘmaxのとき０であり、ｘAve＝ｘmaxのときｋ0となる１次関数である。以下の実施例においても同様とすることができる。尚、この場合の画素に供給される制御信号の値Ｘと副画素の光透過率（開口率）Ｌｔ及び表示輝度ｙとの関係を模式的に図１に破線で示す。
【実施例２】
【００９６】
実施例２は、実施例１の変形であり、「第１Ｂの制御形態」＋「第２Ａの制御形態」に関する。即ち、実施例１の［ステップ−１２０Ａ］と同様の工程である［ステップ−２２０Ａ］において、［第１Ｂの制御形態］を採用する。実施例２における制御信号の値（Ｘ）と、光源輝度（Ｙ）、画素の光透過率（Ｌｔ）及び表示輝度（ｙ）との関係を模式的に図２に示し、［第１Ｂの制御形態］における、面状光源装置の光源輝度と画素の光透過率（開口率）と表示輝度との関係を説明するための概念図を図１１に示し、液晶表示装置組立体の駆動方法を説明するための流れ図を図１６に示す。以下、実施例２の液晶表示装置組立体の駆動方法を説明する。
【００９７】
［ステップ−２００］
先ず、実施例１の［ステップ−１００］と同じステップを実行する。
【００９８】
［ステップ−２１０］
次いで、実施例１の［ステップ−１１０］と同じステップを実行する。
【００９９】
［ステップ−２２０Ａ］
実施例２にあっては、この［ステップ−２２０Ａ］において、入力信号の値ｘU-maxの増加に応じて、輝度増加・面状光源ユニット４２の輝度を増加させる。即ち、実施例２にあっては、画像表示フレーム毎に、駆動回路７０，８０の制御下、光源輝度ＹMdfyを、光透過率Ｌｔ［ＸU-max／Ｘmax］において表示輝度ｙmaxが得られるような値とする（以下の式（１２）参照））。実施例２にあっては、輝度増加・面状光源ユニット４２の光源輝度ＹMdfyの制御を行うが、輝度増加・表示領域ユニット１２を構成する画素の光透過率（開口率）それ自体が、変更、補正等されることはない。即ち、入力信号の値はｘであり、実施例２にあっては、画素の光透過率（開口率）はＬｔ［Ｘ／Ｘmax］である。
【０１００】
ＹMdfy＊＊Ｌｔ［ＸU-max／Ｘmax］
＝Ｙmax＊＊Ｌｔ［（ＸU-max＋Ｋ0・Ｘmax）／｛（１＋Ｋ0）Ｘmax｝］    （１２）
【０１０１】
［ステップ−２２０Ｂ］
一方、上述した式（１）を満足する［あるいは又、上述した式（１−１）、式（１−２）、式（１−３）を同時に満足する］画素が表示領域ユニット１２内に存在しないと演算回路７１において判断された場合には、実施例１の［ステップ−１２０Ｂ］と同じステップを実行する。
【０１０２】
［ステップ−２３０］
更には、実施例１の［ステップ−１３０］と同じステップを実行する。
【０１０３】
［ステップ−２４０］
また、実施例１の［ステップ−１４０］と同じステップを実行する。但し、制御信号の値Ｘに関しては、副画素を駆動するために液晶表示装置駆動回路９０に入力される入力信号の値ｘを２．２乗した値（ｘ≡ｘ2.2）に対する光源輝度の制御に基づく補正は不要である。
【０１０４】
実施例２の液晶表示装置組立体の構成、構造は、実施例１の液晶表示装置組立体の構成、構造と同様とすることができるので、詳細な説明は省略する。
【実施例３】
【０１０５】
実施例３も、実施例１の変形であり、「第１Ｃの制御形態」＋「第２Ａの制御形態」に関する。即ち、実施例１の［ステップ−１２０Ａ］と同様の工程である［ステップ−３２０Ａ］において、［第１Ｃの制御形態］を採用する。実施例３における制御信号の値（Ｘ）と、光源輝度（Ｙ）、画素の光透過率（Ｌｔ）及び表示輝度（ｙ）との関係を模式的に図３に示し、［第１Ｃの制御形態］における、面状光源装置の光源輝度と画素の光透過率（開口率）と表示輝度との関係を説明するための概念図を図１２に示し、液晶表示装置組立体の駆動方法を説明するための流れ図を図１７に示す。以下、実施例３の液晶表示装置組立体の駆動方法を説明する。
【０１０６】
［ステップ−３００］
先ず、実施例１の［ステップ−１００］と同じステップを実行する。
【０１０７】
［ステップ−３１０］
次いで、実施例１の［ステップ−１１０］と同じステップを実行する。
【０１０８】
［ステップ−３２０Ａ］
実施例３にあっては、［ステップ−３２０Ａ］において、入力信号の値ｘU-maxが如何なる値であっても、輝度増加・表示領域ユニット１２を構成する最高輝度画素（Ａ）の光透過率（開口率）を、Ｌｔmax（一定）とする。そして、輝度増加・面状光源ユニット４２において所望の表示輝度が得られるように、輝度増加・面状光源ユニット４２の制御を行う。即ち、実施例３にあっては、画像表示フレーム毎に、駆動回路の制御下、光源輝度ＹMdfyを、光透過率Ｌｔmaxにおいて表示輝度ｙmaxが得られるような値とする（以下の式（１３）参照）。実施例３にあっては、輝度増加・面状光源ユニットの光源輝度ＹMdfyの制御を行うし、輝度増加・表示領域ユニットを構成する画素の光透過率（開口率）も補正する。
【０１０９】
ＹMdfy＊＊Ｌｔmax
＝Ｙmax＊＊Ｌｔ［（ＸU-max＋Ｋ0・Ｘmax）／｛（１＋Ｋ0）Ｘmax｝］    （１３）
【０１１０】
［ステップ−３２０Ｂ］
一方、上述した式（１）を満足する［あるいは又、上述した式（１−１）、式（１−２）、式（１−３）を同時に満足する］画素が表示領域ユニット１２内に存在しないと演算回路７１において判断された場合には、実施例１の［ステップ−１２０Ｂ］と同じステップを実行する。
【０１１１】
［ステップ−３３０］
更には、実施例１の［ステップ−１３０］と同じステップを実行する。
【０１１２】
［ステップ−３４０］
また、実施例１の［ステップ−１４０］と同じステップを実行する。
【０１１３】
実施例３の液晶表示装置組立体の構成、構造は、実施例１の液晶表示装置組立体の構成、構造と同様とすることができるので、詳細な説明は省略する。
【実施例４】
【０１１４】
実施例４は、本発明の第２の態様に係るカラー液晶表示装置組立体の駆動方法に関し、具体的には、「第１Ａの制御形態」＋「第２Ｂの制御形態」に関する。実施例４における制御信号の値（Ｘ）と、光源輝度（Ｙ）、画素の光透過率（Ｌｔ）及び表示輝度（ｙ）との関係を模式的に図４に示し、［第２Ｂの制御形態］における、面状光源装置の光源輝度と画素の光透過率（開口率）と表示輝度との関係を説明するための概念図を図１３に示し、液晶表示装置組立体の駆動方法を説明するための流れ図を図１８に示す。以下、実施例４の液晶表示装置組立体の駆動方法を説明する。
【０１１５】
［ステップ−４００］
先ず、実施例１の［ステップ−１００］と同じステップを実行する。
【０１１６】
［ステップ−４１０］
次いで、実施例１の［ステップ−１１０］と同じステップを実行する。
【０１１７】
［ステップ−４２０Ａ］
その後、実施例１の［ステップ−１２０Ａ］と同じステップを実行する。
【０１１８】
［ステップ−４２０Ｂ］
このステップは、実施例１の［ステップ−１２０Ｂ］と相違する。即ち、例えば、前述した式（１）を満足する［あるいは又、前述した式（１−１）、式（１−２）、式（１−３）を同時に満足する］画素が表示領域ユニット１２内に存在しないと演算回路７１において判断された場合には、輝度不増加・表示領域ユニット１２を構成する全ての画素を駆動するために駆動回路に入力される入力信号の内の最大値をｘ’U-maxとしたとき、係るｘ’U-maxに等しい値を有する入力信号に相当する制御信号が画素に供給されたと想定したときの画素の輝度が得られるように、輝度不増加・表示領域ユニットに対応する輝度不増加・面状光源ユニットの輝度を駆動回路７０，８０によって制御する。
【０１１９】
具体的には、各表示領域ユニットにおいて、この表示領域ユニットを構成する複数の画素の全てに対する入力信号の値ｘR，ｘG，ｘBのいずれかが、所定の値ｋ1・ｘmax未満である場合、この輝度不増加・表示領域ユニットを構成する全ての画素を駆動するために駆動回路７０，８０に入力される入力信号［Ｒ，Ｇ，Ｂ］の最大値をｘ’U-maxとしたとき、係るｘ’U-maxに等しい値を有する入力信号に相当する制御信号が副画素［Ｒ，Ｇ，Ｂ］に供給されたと想定したときの副画素［Ｒ，Ｇ，Ｂ］の輝度が得られるように、輝度不増加・表示領域ユニットに対応する輝度不増加・面状光源ユニットの輝度を駆動回路７０，８０によって制御する。
【０１２０】
即ち、実施例４にあっては、［第２Ｂの制御形態］を採用しているので、入力信号の値ｘ’U-maxが如何なる値であっても、輝度不増加・表示領域ユニット１２を構成する最高輝度画素（Ｂ）の光透過率（開口率）を、例えば、Ｌｔmaxといった一定値とする。そして、輝度不増加・面状光源ユニットにおいて所望の表示輝度が得られるように、輝度不増加・面状光源ユニットの制御を行う。即ち、画像表示フレーム毎に、駆動回路の制御下、光源輝度ＹMdfyを、光透過率Ｌｔmaxにおいて表示輝度ｙ’maxが得られるような値とする（以下の式（１４）参照））。実施例４にあっては、輝度不増加・面状光源ユニットの光源輝度ＹMdfyの制御を行うし、輝度不増加・表示領域ユニットを構成する画素の光透過率（開口率）も補正する。
【０１２１】
ＹMdfy＊＊Ｌｔmax＝ＹStd＊＊Ｌｔ［Ｘ’U-max／Ｘmax］    （１４）
【０１２２】
より具体的には、画像表示フレーム毎に面状光源ユニットの光源輝度ＹMdfyを得るためのパルス幅変調出力信号の値Ｓ（面状光源ユニット４２における赤色発光ダイオード４１Ｒの発光時間を制御するためのパルス幅変調出力信号の値ＳR、緑色発光ダイオード４１Ｇの発光時間を制御するためのパルス幅変調出力信号の値ＳG、青色発光ダイオード４１Ｂの発光時間を制御するためのパルス幅変調出力信号の値ＳB）が、面状光源ユニット４２に対応して設けられた面状光源ユニット駆動回路８０の記憶装置８２に送出され、記憶装置８２において記憶される。また、クロック信号ＣＬＫも面状光源ユニット駆動回路８０に送出される（図２５参照）。
【０１２３】
例えば、
ｘR＝１１０
ｘG＝１５０
ｘB＝  ５０
である場合、
ｘ’U-max＝１５０
となる。従って、副画素［Ｒ，Ｇ，Ｂ］の光透過率をＬｔmaxとし、且つ、ｘ’U-max＝１５０に相当する値を有する入力信号［Ｒ，Ｇ，Ｂ］に相当する制御信号が副画素［Ｒ，Ｇ，Ｂ］に供給されたと想定したときの副画素［Ｒ，Ｇ，Ｂ］における表示輝度ｙ’maxが得られるように、輝度不増加・表示領域ユニットに対応する輝度不増加・面状光源ユニットの輝度ＹMdfyを駆動回路７０，８０によって制御する。
【０１２４】
また、実施例４にあっては、ｋ1・ｘmaxに相当する値を有する入力信号［Ｒ，Ｇ，Ｂ］が、副画素［Ｒ，Ｇ，Ｂ］に供給されたと想定したときの画素の輝度（表示輝度）が得られるようなデューティ比Ｄ1は、最大デューティ比をＤmaxとしたとき、
Ｄ1＝α1・Ｄmax    （５）
を満足する。
【０１２５】
［ステップ−４３０］
更には、実施例１の［ステップ−１３０］と同じステップを実行する。
【０１２６】
［ステップ−４４０］
また、実施例１の［ステップ−１４０］と同じステップを実行する。
【０１２７】
実施例４の液晶表示装置組立体の構成、構造は、実施例１の液晶表示装置組立体の構成、構造と同様とすることができるので、詳細な説明は省略する。
【実施例５】
【０１２８】
実施例５は、実施例４の変形であり、「第１Ａの制御形態」＋「第２Ｂの制御形態」＋「第２Ｃの制御形態」に関する。即ち、実施例４の［ステップ−４２０Ｂ］と同様の工程である［ステップ−５２０Ｂ］において、「第２Ｂの制御形態」＋「第２Ｃの制御形態」を採用する。実施例５における制御信号の値（Ｘ）と、光源輝度（Ｙ）、画素の光透過率（Ｌｔ）及び表示輝度（ｙ）との関係を模式的に図５に示し、［第２Ｃの制御形態］における、面状光源装置の光源輝度と画素の光透過率（開口率）と表示輝度との関係を説明するための概念図を図１４に示し、液晶表示装置組立体の駆動方法を説明するための流れ図を図１９に示す。以下、実施例５の液晶表示装置組立体の駆動方法を説明する。
【０１２９】
［ステップ−５００］
先ず、実施例１の［ステップ−１００］と同じステップを実行する。
【０１３０】
［ステップ−５１０］
次いで、実施例１の［ステップ−１１０］と同じステップを実行する。
【０１３１】
［ステップ−５２０Ａ］
その後、実施例１の［ステップ−１２０Ａ］と同じステップを実行する。
【０１３２】
［ステップ−５２０Ｂ］
このステップは、実施例４の［ステップ−４２０Ｂ］と相違する。ここで、例えば、前述した式（１）を満足する［あるいは又、前述した式（１−１）、式（１−２）、式（１−３）を同時に満足する］画素が表示領域ユニット１２内に存在しないと演算回路７１において判断された場合には、輝度不増加・表示領域ユニット１２を構成する全ての画素を駆動するために駆動回路に入力される入力信号の内の最大値をｘ’U-maxとしたとき、係るｘ’U-maxに等しい値を有する入力信号に相当する制御信号が画素に供給されたと想定したときの画素の輝度が得られるように、輝度不増加・表示領域ユニットに対応する輝度不増加・面状光源ユニットの輝度を駆動回路７０，８０によって制御する。この処理は、実施例４の［ステップ−４２０Ｂ］と同じである。
【０１３３】
一方、実施例５にあっては、［ステップ−５２０Ｂ］において、値ｘ’U-maxが、
ｘ’U-max≦ｋ2・ｘmax    （３）
である場合、ｘ’U-max／ｋ2（あるいは、ｘ’U-max／｛（ｋ2・ｘmax）／ｘmax｝）に等しい値を有する入力信号に相当する制御信号が画素に供給されたと想定したときの画素の輝度が得られるように、輝度不増加・表示領域ユニットに対応する輝度不増加・面状光源ユニットの輝度を駆動回路７０，８０によって制御する。
【０１３４】
即ち、実施例５にあっては、式（３）を満足する入力信号の値ｘ’U-maxが如何なる値であっても、式（３）を満足する輝度不増加・表示領域ユニットに対応する輝度不増加・面状光源ユニットの光源輝度をＹ”といった一定値とする。そして、この場合、係る輝度不増加・表示領域ユニットを構成する最高輝度画素（Ｂ）の光透過率（開口率）ＬｔMdfyを、表示輝度ｙ”maxが得られるような値とする。即ち、入力信号の値がｘであるとき、本来の画素の光透過率（開口率）はＬｔ［Ｘ／Ｘmax］であるが、実施例５にあっては、画素の光透過率（開口率）を、画像表示フレーム毎に、駆動回路の制御下、ＬｔMdfyに補正する。より具体的には、入力信号の値がｘ’U-maxであるとき、画素の光透過率（開口率）を、
Ｌｔ［Ｘ’U-max／｛（Ｋ2・Ｘmax）／Ｘmax｝］    （１５）
とする。実施例５にあっては、輝度増加・面状光源ユニットの光源輝度をＹ”とするといった制御を行うし、輝度増加・表示領域ユニットを構成する画素の光透過率（開口率）も補正する。
【０１３５】
より具体的には、画像表示フレーム毎に面状光源ユニットの光源輝度Ｙ”を得るためのパルス幅変調出力信号の値Ｓ（面状光源ユニット４２における赤色発光ダイオード４１Ｒの発光時間を制御するためのパルス幅変調出力信号の値ＳR、緑色発光ダイオード４１Ｇの発光時間を制御するためのパルス幅変調出力信号の値ＳG、青色発光ダイオード４１Ｂの発光時間を制御するためのパルス幅変調出力信号の値ＳB）が、面状光源ユニット４２に対応して設けられた面状光源ユニット駆動回路８０の記憶装置８２に送出され、記憶装置８２において記憶される。また、クロック信号ＣＬＫも面状光源ユニット駆動回路８０に送出される（図２５参照）。
【０１３６】
例えば、
ｘR＝１０
ｘG＝１５
ｘB＝  ５
である場合、
ｘ’U-max＝１５
となる。従って、輝度不増加・面状光源ユニットの輝度をＹ”とし、副画素［Ｒ，Ｇ，Ｂ］の光透過率を、
Ｌｔ［１５／｛（０．２×２５６）／２５６｝］
とする補正を行う。
【０１３７】
また、ｋ2・ｘmaxに等しい値を有する入力信号［Ｒ，Ｇ，Ｂ］に相当する制御信号［Ｒ，Ｇ，Ｂ］が副画素［Ｒ，Ｇ，Ｂ］に供給されたと想定したときの副画素［Ｒ，Ｇ，Ｂ］の輝度が得られるようなデューティ比Ｄ2は、最大デューティ比をＤmaxとしたとき、
Ｄ2＝α2・Ｄmax    （６）
を満足する。
【０１３８】
［ステップ−５３０］
更には、実施例１の［ステップ−１３０］と同じステップを実行する。
【０１３９】
［ステップ−５４０］
また、実施例１の［ステップ−１４０］と同じステップを実行する。
【０１４０】
実施例５の液晶表示装置組立体の構成、構造は、実施例１の液晶表示装置組立体の構成、構造と同様とすることができるので、詳細な説明は省略する。
【実施例６】
【０１４１】
実施例６は、実施例４及び実施例２の変形であり、「第１Ｂの制御形態」＋「第２Ｂの制御形態」に関する。即ち、実施例１の［ステップ−１２０Ａ］と同様の工程である［ステップ−６２０Ａ］において、「第１Ｂの制御形態」を採用する。実施例６における制御信号の値（Ｘ）と、光源輝度（Ｙ）、画素の光透過率（Ｌｔ）及び表示輝度（ｙ）との関係を模式的に図６に示し、液晶表示装置組立体の駆動方法を説明するための流れ図を図２０に示す。以下、実施例６の液晶表示装置組立体の駆動方法を説明する。
【０１４２】
［ステップ−６００］
先ず、実施例１の［ステップ−１００］と同じステップを実行する。
【０１４３】
［ステップ−６１０］
次いで、実施例１の［ステップ−１１０］と同じステップを実行する。
【０１４４】
［ステップ−６２０Ａ］
その後、実施例２の［ステップ−２２０Ａ］と同じステップを実行する。
【０１４５】
［ステップ−６２０Ｂ］
一方、上述した式（１）を満足する［あるいは又、上述した式（１−１）、式（１−２）、式（１−３）を同時に満足する］画素が表示領域ユニット１２内に存在しないと演算回路７１において判断された場合には、実施例４の［ステップ−４２０Ｂ］と同様の工程を実行する。
【０１４６】
［ステップ−６３０］
更には、実施例１の［ステップ−１３０］と同じステップを実行する。
【０１４７】
［ステップ−６４０］
また、実施例１の［ステップ−１４０］と同じステップを実行する。
【０１４８】
実施例６の液晶表示装置組立体の構成、構造は、実施例１の液晶表示装置組立体の構成、構造と同様とすることができるので、詳細な説明は省略する。
【実施例７】
【０１４９】
実施例７は、実施例６の変形であり、「第１Ｂの制御形態」＋「第２Ｂの制御形態」＋「第２Ｃの制御形態」に関する。即ち、実施例４の［ステップ−４２０Ｂ］と同様の工程である［ステップ−７２０Ｂ］において、「第２Ｂの制御形態」＋「第２Ｃの制御形態」を採用する。実施例７における制御信号の値（Ｘ）と、光源輝度（Ｙ）、画素の光透過率（Ｌｔ）及び表示輝度（ｙ）との関係を模式的に図７に示し、液晶表示装置組立体の駆動方法を説明するための流れ図を図２１に示す。以下、実施例７の液晶表示装置組立体の駆動方法を説明する。
【０１５０】
［ステップ−７００］
先ず、実施例１の［ステップ−１００］と同じステップを実行する。
【０１５１】
［ステップ−７１０］
次いで、実施例１の［ステップ−１１０］と同じステップを実行する。
【０１５２】
［ステップ−７２０Ａ］
その後、実施例２の［ステップ−２２０Ａ］と同じステップを実行する。
【０１５３】
［ステップ−７２０Ｂ］
一方、上述した式（１）を満足する［あるいは又、上述した式（１−１）、式（１−２）、式（１−３）を同時に満足する］画素が表示領域ユニット１２内に存在しないと演算回路７１において判断された場合には、実施例５の［ステップ−５２０Ｂ］と同様の工程を実行する。
【０１５４】
［ステップ−７３０］
更には、実施例１の［ステップ−１３０］と同じステップを実行する。
【０１５５】
［ステップ−７４０］
また、実施例１の［ステップ−１４０］と同じステップを実行する。
【０１５６】
実施例７の液晶表示装置組立体の構成、構造は、実施例１の液晶表示装置組立体の構成、構造と同様とすることができるので、詳細な説明は省略する。
【実施例８】
【０１５７】
実施例８は、実施例４及び実施例３の変形であり、「第１Ｃの制御形態」＋「第２Ｂの制御形態」に関する。即ち、実施例１の［ステップ−１２０Ａ］と同様の工程である［ステップ−８２０Ａ］において、「第１Ｃの制御形態」を採用する。実施例８における制御信号の値（Ｘ）と、光源輝度（Ｙ）、画素の光透過率（Ｌｔ）及び表示輝度（ｙ）との関係を模式的に図８に示し、液晶表示装置組立体の駆動方法を説明するための流れ図を図２２に示す。以下、実施例８の液晶表示装置組立体の駆動方法を説明する。
【０１５８】
［ステップ−８００］
先ず、実施例１の［ステップ−１００］と同じステップを実行する。
【０１５９】
［ステップ−８１０］
次いで、実施例１の［ステップ−１１０］と同じステップを実行する。
【０１６０】
［ステップ−８２０Ａ］
その後、実施例３の［ステップ−３２０Ａ］と同じステップを実行する。
【０１６１】
［ステップ−８２０Ｂ］
一方、上述した式（１）を満足する［あるいは又、上述した式（１−１）、式（１−２）、式（１−３）を同時に満足する］画素が表示領域ユニット１２内に存在しないと演算回路７１において判断された場合には、実施例４の［ステップ−４２０Ｂ］と同様の工程を実行する。
【０１６２】
［ステップ−８３０］
更には、実施例１の［ステップ−１３０］と同じステップを実行する。
【０１６３】
［ステップ−８４０］
また、実施例１の［ステップ−１４０］と同じステップを実行する。
【０１６４】
実施例８の液晶表示装置組立体の構成、構造は、実施例１の液晶表示装置組立体の構成、構造と同様とすることができるので、詳細な説明は省略する。
【実施例９】
【０１６５】
実施例９は、実施例８の変形であり、「第１Ｃの制御形態」＋「第２Ｂの制御形態」＋「第２Ｃの制御形態」に関する。即ち、実施例４の［ステップ−４２０Ｂ］と同様の工程である［ステップ−９２０Ｂ］において、「第２Ｂの制御形態」＋「第２Ｃの制御形態」を採用する。実施例９における制御信号の値（Ｘ）と、光源輝度（Ｙ）、画素の光透過率（Ｌｔ）及び表示輝度（ｙ）との関係を模式的に図９に示し、液晶表示装置組立体の駆動方法を説明するための流れ図を図２３に示す。以下、実施例９の液晶表示装置組立体の駆動方法を説明する。
【０１６６】
［ステップ−９００］
先ず、実施例１の［ステップ−１００］と同じステップを実行する。
【０１６７】
［ステップ−９１０］
次いで、実施例１の［ステップ−１１０］と同じステップを実行する。
【０１６８】
［ステップ−９２０Ａ］
その後、実施例３の［ステップ−３２０Ａ］と同じステップを実行する。
【０１６９】
［ステップ−９２０Ｂ］
一方、上述した式（１）を満足する［あるいは又、上述した式（１−１）、式（１−２）、式（１−３）を同時に満足する］画素が表示領域ユニット１２内に存在しないと演算回路７１において判断された場合には、実施例５の［ステップ−５２０Ｂ］と同様の工程を実行する。
【０１７０】
［ステップ−９３０］
更には、実施例１の［ステップ−１３０］と同じステップを実行する。
【０１７１】
［ステップ−９４０］
また、実施例１の［ステップ−１４０］と同じステップを実行する。
【０１７２】
実施例９の液晶表示装置組立体の構成、構造は、実施例１の液晶表示装置組立体の構成、構造と同様とすることができるので、詳細な説明は省略する。
【０１７３】
以上、本発明を好ましい実施例に基づき説明したが、本発明はこれらの実施例に限定されるものではない。実施例において説明した透過型のカラー液晶表示装置や面状光源装置、カラー液晶表示装置組立体の構成、構造は例示であるし、これらを構成する部材、材料等も例示であり、適宜、変更することができる。面状光源装置の発光状態を光センサーで監視し、発光ダイオードの温度を温度センサーで監視し、その結果を、ＬＥＤ駆動回路８３にフィードバックすることで、面状光源ユニットの輝度補償（補正）や温度制御を行ってもよい。
【０１７４】
また、場合によっては式（１−１）、式（１−２）、式（１−３）の代わりに、
（ｘU-max(R)＋ｘU-max(G)＋ｘU-max(B)）／３≧ｋ1・ｘmax    （１”）
を満足する場合、係るそれぞれの入力信号の値をｘU-max(R)，ｘU-max(G)，ｘU-max(B)としたとき、
（ｘU-max(R)＋ｘU-max(G)＋ｘU-max(B)）／３＋ｋ0・ｘmax
［但し、ｋ0は、０．０６≦ｋ0≦０．３の範囲内の係数］
に等しい値を有する入力信号に相当する制御信号が副画素［Ｒ，Ｇ，Ｂ］に供給されたと想定したときの副画素［Ｒ，Ｇ，Ｂ］の輝度が得られるように、表示領域ユニットに対応する面状光源ユニットの輝度を駆動回路によって制御してもよい。
【図面の簡単な説明】
【０１７５】
【図１】図１は、実施例１における制御信号の値（Ｘ）と、光源輝度（Ｙ）、画素の光透過率（Ｌｔ）及び表示輝度（ｙ）との関係を模式的に示す図である。
【図２】図２は、実施例２における制御信号の値（Ｘ）と、光源輝度（Ｙ）、画素の光透過率（Ｌｔ）及び表示輝度（ｙ）との関係を模式的に示す図である。
【図３】図３は、実施例３における制御信号の値（Ｘ）と、光源輝度（Ｙ）、画素の光透過率（Ｌｔ）及び表示輝度（ｙ）との関係を模式的に示す図である。
【図４】図４は、実施例４における制御信号の値（Ｘ）と、光源輝度（Ｙ）、画素の光透過率（Ｌｔ）及び表示輝度（ｙ）との関係を模式的に示す図である。
【図５】図５は、実施例５における制御信号の値（Ｘ）と、光源輝度（Ｙ）、画素の光透過率（Ｌｔ）及び表示輝度（ｙ）との関係を模式的に示す図である。
【図６】図６は、実施例６における制御信号の値（Ｘ）と、光源輝度（Ｙ）、画素の光透過率（Ｌｔ）及び表示輝度（ｙ）との関係を模式的に示す図である。
【図７】図７は、実施例７における制御信号の値（Ｘ）と、光源輝度（Ｙ）、画素の光透過率（Ｌｔ）及び表示輝度（ｙ）との関係を模式的に示す図である。
【図８】図８は、実施例８における制御信号の値（Ｘ）と、光源輝度（Ｙ）、画素の光透過率（Ｌｔ）及び表示輝度（ｙ）との関係を模式的に示す図である。
【図９】図９は、実施例９における制御信号の値（Ｘ）と、光源輝度（Ｙ）、画素の光透過率（Ｌｔ）及び表示輝度（ｙ）との関係を模式的に示す図である。
【図１０】図１０は、［第１Ａの制御形態］における、面状光源装置の光源輝度と、画素の光透過率（開口率）と、表示領域における表示輝度との関係を説明するための概念図である。
【図１１】図１１の（Ａ）及び（Ｂ）は、［第１Ｂの制御形態］における、面状光源装置の光源輝度と、画素の光透過率（開口率）と、表示領域における表示輝度との関係を説明するための概念図である。
【図１２】図１２の（Ａ）及び（Ｂ）は、［第１Ｃの制御形態］における、面状光源装置の光源輝度と、画素の光透過率（開口率）と、表示領域における表示輝度との関係を説明するための概念図である。
【図１３】図１３の（Ａ）及び（Ｂ）は、［第２Ｂの制御形態］における、面状光源装置の光源輝度と、画素の光透過率（開口率）と、表示領域における表示輝度との関係を説明するための概念図である。
【図１４】図１４は、［第２Ｃの制御形態］における、面状光源装置の光源輝度と、画素の光透過率（開口率）と、表示領域における表示輝度との関係を説明するための概念図である。
【図１５】図１５は、実施例１における液晶表示装置組立体の駆動方法を説明するための流れ図である。
【図１６】図１６は、実施例２における液晶表示装置組立体の駆動方法を説明するための流れ図である。
【図１７】図１７は、実施例３における液晶表示装置組立体の駆動方法を説明するための流れ図である。
【図１８】図１８は、実施例４における液晶表示装置組立体の駆動方法を説明するための流れ図である。
【図１９】図１９は、実施例５における液晶表示装置組立体の駆動方法を説明するための流れ図である。
【図２０】図２０は、実施例６における液晶表示装置組立体の駆動方法を説明するための流れ図である。
【図２１】図２１は、実施例７における液晶表示装置組立体の駆動方法を説明するための流れ図である。
【図２２】図２２は、実施例８における液晶表示装置組立体の駆動方法を説明するための流れ図である。
【図２３】図２３は、実施例９における液晶表示装置組立体の駆動方法を説明するための流れ図である。
【図２４】図２４は、実施例での使用に適したカラー液晶表示装置及び面状光源装置から成る液晶表示装置組立体の概念図である。
【図２５】図２５は、実施例での使用に適した駆動回路の一部分の概念図である。
【図２６】図２６の（Ａ）は、実施例の面状光源装置における発光ダイオード等の配置、配列状態を模式的に示す図であり、図２６の（Ｂ）は、実施例のカラー液晶表示装置及び面状光源装置から成る液晶表示装置組立体の模式的な一部断面図である。
【図２７】図２７は、カラー液晶表示装置の模式的な一部断面図である。
【図２８】図２８の（Ａ）及び（Ｂ）は、従来のカラー液晶表示装置組立体における、面状光源装置の光源輝度と、画素の光透過率（開口率）と、表示領域における表示輝度との関係を説明するための概念図である。
【図２９】図２９は、従来のカラー液晶表示装置組立体における制御信号レベルと画素の輝度である表示輝度との関係を模式的に示すグラフである。
【符号の説明】
【０１７６】
１０・・・カラー液晶表示装置、１１・・・表示領域、１２・・・表示領域ユニット、１３・・・液晶材料、２０・・・フロント・パネル、２１・・・第１の基板、２２・・・カラーフィルター、２３・・・オーバーコート層、２４・・・透明第１電極、２５・・・配向膜、２６・・・偏光フィルム、３０・・・リア・パネル、３１・・・第２の基板、３２・・・スイッチング素子、３４・・・透明第２電極、３５・・・配向膜、３６・・・偏光フィルム、３７・・・絶縁層、４０・・・面状光源装置、４１，４１Ｒ，４１Ｇ，４１Ｂ・・・発光ダイオード（光源）、４２・・・面状光源ユニット、４３，４３Ｒ，４３Ｇ，４３Ｂ・・・フォトダイオード（光センサー）、４４・・・隔壁、５１・・・筐体、５２Ａ・・・筐体の底面、５２Ｂ・・・筐体の側面、５３・・・外側フレーム、５４・・・内側フレーム、５５Ａ，５５Ｂ・・・スペーサ、５６・・・ガイド部材、５７・・・ブラケット部材、６１・・・拡散板、６２・・・拡散シート、６３・・・プリズムシート、６４・・・偏光変換シート、６５・・・反射シート、７０・・・面状光源装置制御回路、７１・・・演算回路、７２・・・記憶装置（メモリ）、８０・・・面状光源ユニット駆動回路、８１・・・演算回路、８２・・・記憶装置（メモリ）、８３・・・ＬＥＤ駆動回路、８４・・・フォトダイオード制御回路、８５Ｒ，８５Ｇ，８５Ｂ・・・スイッチング素子、８６・・・発光ダイオード駆動電源、９０・・・液晶表示装置駆動回路、９１・・・タイミングコントローラ
【図１】
2007179001.tif 000004
【図２】
2007179001.tif 000005
【図３】
2007179001.tif 000006
【図４】
2007179001.tif 000007
【図５】
2007179001.tif 000008
【図６】
2007179001.tif 000009
【図７】
2007179001.tif 000010
【図８】
2007179001.tif 000011
【図９】
2007179001.tif 000012
【図１０】
2007179001.tif 000013
【図１１】
2007179001.tif 000014
【図１２】
2007179001.tif 000015
【図１３】
2007179001.tif 000016
【図１４】
2007179001.tif 000017
【図１５】
2007179001.tif 000018
【図１６】
2007179001.tif 000019
【図１７】
2007179001.tif 000020
【図１８】
2007179001.tif 000021
【図１９】
2007179001.tif 000022
【図２０】
2007179001.tif 000023
【図２１】
2007179001.tif 000024
【図２２】
2007179001.tif 000025
【図２３】
2007179001.tif 000026
【図２４】
2007179001.tif 000027
【図２５】
2007179001.tif 000028
【図２６】
2007179001.tif 000029
【図２７】
2007179001.tif 000030
【図２８】
2007179001.tif 000031
【図２９】
2007179001.tif 000032